(57)【要約】  応答ポリシーインジケーションに関連する制御フレームメッセージングのオーバーヘッドを低減するための方法、システム、およびデバイスについて説明する。ワイヤレス通信のための方法は、制御フレームを送信することを含み得、制御フレームは、物理レイヤ（ＰＨＹ）ヘッダと少なくとも１つの媒体アクセス制御（ＭＡＣ）プロトコルデータユニットとを含む。本方法はまた、ＰＨＹヘッダ中でＭＡＣプロトコルデータユニットのための第１の応答ポリシーを示すことを含み得、第１の応答ポリシーは、ＭＡＣプロトコルデータユニットに関連するＭＡＣプロトコルデータユニットのための第２の応答ポリシーに取って代わる。ＰＨＹヘッダは、同期ビットの拡張セットとは異なる同期ビットの低減セットを含む同期ブロックを含み得る。【選択図】図３
2017515325.tif 000002
【特許請求の範囲】
【請求項１】
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信のための方法。
【請求項２】
ワイヤレス媒体へのアクセスを要求するために、送信要求（ＲＴＳ）フレームの代わりに前記制御フレームを送信することをさらに備える、
請求項１に記載の方法。
【請求項３】
前記第１の応答ポリシーに従う前記制御フレームへの応答を受信することと、
前記制御フレームへの前記応答に基づいて前記ワイヤレス媒体上でデータフレームを送信することと
をさらに備える、請求項２に記載の方法。
【請求項４】
前記ＭＡＣプロトコルデータユニットは、送信可（ＣＴＳ）メッセージまたは肯定応答（ＡＣＫ）メッセージのうちの１つを備える、
請求項１に記載の方法。
【請求項５】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項１に記載の方法。
【請求項６】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項１に記載の方法。
【請求項７】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項５に記載の方法。
【請求項８】
前記ＭＡＣプロトコルデータユニットに関連する前記第２の応答ポリシーは、前記ＭＡＣプロトコルデータユニットの肯定応答（ＡＣＫ）ポリシーを備える、
請求項１に記載の方法。
【請求項９】
前記ＰＨＹヘッダは、同期ビットの低減セットを備える同期ブロックを備える、
請求項１に記載の方法。
【請求項１０】
前記ＰＨＹヘッダは、フレーム開始デリミタ（ＳＦＤ）フィールドをさらに備え、前記ＳＦＤフィールドは、前記同期ブロックが、同期ビットの前記低減セットとは異なる同期ビットの拡張セットを備えることを示す、
請求項９に記載の方法。
【請求項１１】
前記同期ブロックは、前記同期ブロックが同期ビットの前記拡張セットを備えることを示す、
請求項１０に記載の方法。
【請求項１２】
前記ＰＨＹヘッダは、信号フィールドと、サービスフィールドと、長さフィールドと、巡回冗長検査フィールドとをさらに備え、前記同期ブロックおよび前記ＳＦＤフィールドは、前記信号フィールド、前記サービスフィールド、前記長さフィールド、および前記巡回冗長検査フィールドが１Ｍｂｐｓで送信されることを示す、
請求項１１に記載の方法。
【請求項１３】
物理レイヤ（ＰＨＹ）ヘッダと少なくとも１つの媒体アクセス制御（ＭＡＣ）プロトコルデータユニットとを備える制御フレームを送信するための送信機と、
前記ＰＨＹヘッダ中で前記ＭＡＣプロトコルデータユニットのための第１の応答ポリシーを示すための応答ポリシーマネージャ、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信装置。
【請求項１４】
前記送信機は、さらに、ワイヤレス媒体へのアクセスを要求するために、送信要求（ＲＴＳ）フレームの代わりに前記制御フレームを送信するためのものである、
請求項１３に記載のワイヤレス通信装置。
【請求項１５】
前記第１の応答ポリシーに従う前記制御フレームへの応答を受信するための受信機をさらに備え、
ここにおいて、前記送信機は、さらに、前記制御フレームへの前記応答に基づいて前記ワイヤレス媒体上でデータフレームを送信するためのものである、
請求項１４に記載のワイヤレス通信装置。
【請求項１６】
前記ＭＡＣプロトコルデータユニットは、送信可（ＣＴＳ）メッセージまたは肯定応答（ＡＣＫ）メッセージのうちの１つを備える、
請求項１３に記載のワイヤレス通信装置。
【請求項１７】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項１３に記載のワイヤレス通信装置。
【請求項１８】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項１３に記載のワイヤレス通信装置。
【請求項１９】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項１７に記載のワイヤレス通信装置。
【請求項２０】
前記ＭＡＣプロトコルデータユニットに関連する前記第２の応答ポリシーは、前記ＭＡＣプロトコルデータユニットの肯定応答（ＡＣＫ）ポリシーを備える、
請求１３に記載のワイヤレス通信装置。
【請求項２１】
制御フレームを送信するための手段、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すための手段、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信のための装置。
【請求項２２】
ワイヤレス媒体へのアクセスを要求するために、送信要求（ＲＴＳ）フレームの代わりに前記制御フレームを送信するための手段をさらに備える、
請求項２１に記載の装置。
【請求項２３】
前記第１の応答ポリシーに従う前記制御フレームへの応答を受信するための手段と、
前記制御フレームへの前記応答に基づいて前記ワイヤレス媒体上でデータフレームを送信するための手段と
をさらに備える、請求項２２に記載の装置。
【請求項２４】
前記ＭＡＣプロトコルデータユニットは、送信可（ＣＴＳ）メッセージまたは肯定応答（ＡＣＫ）メッセージのうちの１つを備える、
請求項２１に記載の装置。
【請求項２５】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項２１に記載の装置。
【請求項２６】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項２１に記載の装置。
【請求項２７】
少なくとも１つのデバイスに、
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーが、前記ＭＡＣプロトコルデータユニットに関連する前記ＭＡＣプロトコルデータユニットのための第２の応答ポリシーに取って代わる、と
を行わせるようにプロセッサによって実行可能な命令を記憶する、非一時的コンピュータ可読媒体。
【請求項２８】
前記少なくとも１つのデバイスに、
ワイヤレス媒体へのアクセスを要求するために、送信要求（ＲＴＳ）フレームの代わりに前記制御フレームを送信することを行わせるように前記プロセッサによって実行可能な命令をさらに備える、
請求項２７に記載の非一時的コンピュータ可読媒体。
【請求項２９】
前記少なくとも１つのデバイスに、
前記第１の応答ポリシーに従う前記制御フレームへの応答を受信することと、
前記制御フレームへの前記応答に基づいて前記ワイヤレス媒体上でデータフレームを送信することと
を行わせるように前記プロセッサによって実行可能な命令をさらに備える、請求項２７に記載の非一時的コンピュータ可読媒体。
【請求項３０】
前記ＭＡＣプロトコルデータユニットは、送信可（ＣＴＳ）メッセージまたは肯定応答（ＡＣＫ）メッセージのうちの１つを備える、
請求項２７に記載の非一時的コンピュータ可読媒体。
【発明の詳細な説明】
【相互参照】
【０００１】
[0001]本特許出願は、各々が本出願の譲受人に譲渡された、２０１５年２月１８日に出願された、「Short Request to Send Frame」と題する、Ｗｅｎｔｉｎｋによる米国特許出願第１４／６２５，４０１号、および２０１４年２月２４日に出願された、「Short RTS」と題する、Ｗｅｎｔｉｎｋによる米国仮特許出願第６１／９４３，８１６号の優先権を主張する。
【０００２】
[0002]本特許出願は、本出願の譲受人に譲渡され、２０１５年２月１８日に出願された、「Short Request to Send Frame」と題する、Ｗｅｎｔｉｎｋによる米国特許出願第１４／６２５，４０８号に関係する。
【技術分野】
【０００３】
[0003]以下は、一般にワイヤレス通信に関し、より詳細には、応答ポリシーまたは肯定応答（ＡＣＫ）メッセージングのための効率を改善することに関する。
【背景技術】
【０００４】
[0004]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。Ｗｉ−Ｆｉ（登録商標）（ＩＥＥＥ８０２．１１）ネットワークなどのワイヤレスローカルエリアネットワーク（ＷＬＡＮ）が、広く展開され、使用されている。そのような多元接続システムの他の例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがあり得る。
【０００５】
[0005]概して、ワイヤレス多元接続通信システムは、各々が複数のモバイルデバイスまたは局（ＳＴＡ）のための通信を同時にサポートする、いくつかの基地局またはアクセスポイント（ＡＰ）を含み得る。ＡＰは、ダウンストリームおよびアップストリームリンク上でＳＴＡと通信し得る。各ＡＰは、セルのカバレージエリアと呼ばれることがあるカバレージ範囲を有する。８０２．１１のシステムにおいて使用される１つの機構は、制御フレームの交換を介した通信リンクの確認が、近くの通信デバイスが受ける干渉を制限するように、通信リンクを確立するより前に１つまたは複数の制御フレームを通信することを含む。そのような技法の一例としては、たとえば、別のデバイス（たとえば、別のＳＴＡまたはＡＰ）と通信することを期待するＳＴＡがそのデバイスにＲＴＳフレームを最初に送り得る、送信要求（ＲＴＳ：Request to Send）および送信可（ＣＴＳ：Clear to Sendメッセージングがある。
【０００６】
[0006]受信側デバイスがＲＴＳフレームを受信すると、受信側デバイスは、ＣＴＳフレームを送ることによって通信リンクを確認し得る。ＣＴＳフレームがＳＴＡによって受信された後、ＳＴＡは、次いで、受信側デバイスにデータを送信し始め得る。このようにして、ＲＴＳ／ＣＴＳメッセージングは、ＳＴＡまたはＡＰなど、デバイスが、本質的に、ＡＰまたはＳＴＡにデータを送信する前に通信経路をクリアすることを可能にすることによって、フレーム衝突を低減することができる。ＲＴＳ／ＣＴＳ技法は、過密エリア中に複数のＳＴＡがあるとき（たとえば、極めて近接してメッセージングを送信する多数のＳＴＡ／ＡＰがある場合など）、および「隠れノード」が存在するとき、特に役立ち得る。しかしながら、現在のＲＴＳ／ＣＴＳ技法は、オーバーヘッドを増加させ、遅延を導入し、スループットを低減することがある。
【発明の概要】
【０００７】
[0007]説明する特徴は、概して、ＲＴＳ／ＣＴＳ技法を実装する制御フレームなど、応答ポリシー情報を示す１つまたは複数の制御フレームによって課されるオーバーヘッドを低減するための１つまたは複数の改善されたシステム、方法、および装置に関する。特に、ワイヤレス通信のための方法は、制御フレームを送信することを含み得、制御フレームは、物理レイヤ（ＰＨＹ）ヘッダと少なくとも１つの媒体アクセス制御（ＭＡＣ）プロトコルデータユニット（ＭＰＤＵ）とを含む。少なくとも１つのＭＰＤＵに関連する少なくとも１つのＭＰＤＵのための第２の応答ポリシーに取って代わる少なくとも１つのＭＰＤＵのための第１の応答ポリシーがＰＨＹヘッダ中で示され得る。制御フレームは、ワイヤレス媒体にアクセスし、通信リンクの確立を開始するために、上記で説明したように旧来のＲＴＳフレームの代わりに送信され得る。制御フレームのＰＨＹヘッダ中で第１の応答ポリシーを示すことは、制御フレームが旧来のＲＴＳフレームよりも少ないリソースを利用するように、制御フレームのサイズを低減し得る。第１の応答ポリシーを示すＰＨＹヘッダをもつ応答要求型送信可（ＲＣＴＳ：Response Requested Clear to Send）フレームなどの変更ＣＴＳフレームが、ＲＴＳフレームの代わりに使用され得る。
【０００８】
[0008]制御フレームのＰＨＹヘッダ中で示された第１の応答ポリシーに従う制御フレームへの応答が受信され得る。応答は、ＣＴＳフレームまたはＡＣＫフレームもしくはメッセージであり得る。ＣＴＳフレームまたはＡＣＫフレームが受信されると、受信されたＣＴＳフレームまたはＡＣＫフレームに少なくとも部分的に基づいてワイヤレス媒体上で１つまたは複数のデータフレームが送信され得る。
【０００９】
[0009]ＭＰＤＵは、ＣＴＳメッセージまたはＡＣＫメッセージのうちの１つを含み得る。ＰＨＹヘッダは、サービスフィールドと、ＰＨＹヘッダ中の第１の応答ポリシーが、第１の応答ポリシーに少なくとも部分的に基づいてサービスフィールド中でビットを設定することを含み得ることを示すこととを含み得る。ＰＨＹヘッダのサービスフィールド中で設定されたビットは、ＰＨＹヘッダのサービスフィールド中の少なくとも１つの高レート（ＨＲ：high rate）直接シーケンススペクトラム拡散（ＤＳＳＳ：direct sequence spread spectrum）ビットとは別個であり得る。応答ポリシーは、応答についての要求、あるいは受信側デバイスが少なくとも１つの送信されたＭＰＤＵに関連する応答ポリシーに従うようにとの命令またはインジケーションのうちの１つを含み得る。少なくとも１つのＭＰＤＵに関連する第２の応答ポリシーはＭＰＤＵのＡＣＫポリシーを含み得る。
【００１０】
[0010]制御フレームのＰＨＹヘッダは、同期ビットの低減セットを含む同期ブロックを含み得る。ＰＨＹヘッダは、同期ブロックが同期ビットの低減セットとは異なる同期ビットの拡張セットを含むことを示すフレーム開始デリミタ（ＳＦＤ：start frame delimiter）フィールドを含み得る。同期ブロック自体が、同期ブロックの拡張セットがＰＨＹヘッダの同期ブロック中に含まれることを示し得る。ＰＨＹヘッダの同期ブロック中の同期ビットの低減セットは、制御フレームのオーバーヘッドをさらに低減し、その結果、依然として、同期ビットの拡張セットをもつ制御フレームを受信するように構成されたシステムと後方互換性がありながら、制御フレームまたはＲＴＳ／ＣＴＳメッセージングの効率を増加させ得る。
【００１１】
[0011]ＰＨＹヘッダは、信号フィールドと、サービスフィールドと、長さフィールドと、巡回冗長検査フィールドとを含み得る。同期ブロックおよびＳＦＤフィールドは、信号フィールド、サービスフィールド、長さフィールド、および巡回冗長検査フィールドが１Ｍｂｐｓで送信されることを示し得る。
【００１２】
[0012]ＰＨＹヘッダは、信号フィールドと、サービスフィールドと、長さフィールドと、巡回冗長検査フィールドとを含み得る。同期ブロックおよびＳＦＤフィールドは、信号フィールド、サービスフィールド、長さフィールド、および巡回冗長検査フィールドが１Ｍｂｐｓで送信されることを示し得る。
【００１３】
[0013]ワイヤレス通信装置は、ＰＨＹヘッダと少なくとも１つのＭＰＤＵとを含む制御フレームを送信するための送信機と、ＰＨＹヘッダ中でＭＰＤＵのための第１の応答ポリシーを示すための応答ポリシーマネージャとを含み得、第１の応答ポリシーは、ＭＰＤＵに関連するＭＰＤＵのための第２の応答ポリシーに取って代わる。
【００１４】
[0014]いくつかの例では、ワイヤレス通信装置は、上記で説明した方法の１つまたは複数の態様を実装し得る。
【００１５】
[0015]ワイヤレス通信のための装置は、制御フレームを送信するための手段を含み得、制御フレームはＰＨＹヘッダと少なくとも１つのＭＰＤＵとを含む。本装置はまた、ＰＨＹヘッダ中でＭＰＤＵのための第１の応答ポリシーを示すための手段を含み得、第１の応答ポリシーは、ＭＰＤＵに関連するＭＰＤＵのための第２の応答ポリシーに取って代わる。
【００１６】
[0016]いくつかの例では、ワイヤレス通信のための装置は、上記で説明した方法または装置の１つまたは複数の態様を実装し得る。
【００１７】
[0017]非一時的コンピュータ可読媒体は、デバイスに制御フレームを送信させるようにプロセッサによって実行可能な命令を記憶し得、制御フレームはＰＨＹヘッダと少なくとも１つのＭＰＤＵとを含む。命令は、デバイスに、ＰＨＹヘッダ中でＭＰＤＵのための第１の応答ポリシーを示させるようにプロセッサによってさらに実行可能であり得、第１の応答ポリシーは、ＭＰＤＵに関連するＭＰＤＵのための第２の応答ポリシーに取って代わる。
【００１８】
[0018]いくつかの例では、命令は、プロセッサに、上記で説明した方法または装置の１つまたは複数の態様を実装させるように構成され得る。
【００１９】
[0019]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【図面の簡単な説明】
【００２０】
[0020]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図１】様々な実施形態による、ワイヤレス通信システムの一例を示す図。
【図２】様々な実施形態による、局（ＳＴＡ）とアクセスポイント（ＡＰ）とを含む例示的なワイヤレス通信システムの一例を示す図。
【図３】様々な実施形態による、ＳＴＡとＡＰとの間の例示的な通信を示すプロセスフロー図。
【図４Ａ】様々な実施形態による、例示的な送信要求（ＲＴＳ）制御フレームの一例を示す図。
【図４Ｂ】様々な実施形態による、例示的な送信要求（ＲＴＳ）制御フレームの一例を示す図。
【図５Ａ】様々な実施形態による、例示的な拡張物理レイヤ（ＰＨＹ）ヘッダの一例を示す図。
【図５Ｂ】様々な実施形態による、例示的な低減物理レイヤ（ＰＨＹ）ヘッダの一例を示す図。
【図５Ｃ】様々な実施形態による、例示的な低減物理レイヤ（ＰＨＹ）ヘッダの一例を示す図。
【図６Ａ】様々な実施形態による、ＰＨＹヘッダの例示的なサービスフィールドの一例を示す図。
【図６Ｂ】様々な実施形態による、ＰＨＹヘッダの例示的なサービスフィールドの一例を示す図。
【図７Ａ】様々な実施形態による、ＰＨＹヘッダのサービスフィールド中で示される応答ポリシーをもつ例示的な制御フレームの一例を示す図。
【図７Ｂ】様々な実施形態による、ＰＨＹヘッダのサービスフィールド中で示される応答ポリシーをもつ例示的な制御フレームの一例を示す図。
【図８】様々な実施形態による、２つのＳＴＡ間の通信の一例を示す図。
【図９】様々な実施形態による、制御フレームのＰＨＹヘッダ中で応答ポリシーを示すために構成されたデバイスの一例のブロック図。
【図１０】様々な実施形態による、制御フレームのＰＨＹヘッダ中で応答ポリシーを示すために構成されたデバイスの別の例のブロック図。
【図１１】様々な実施形態による、制御フレームのＰＨＹヘッダ中で応答ポリシーを示すために構成されたデバイスの別の例のブロック図。
【図１２】様々な実施形態による、応答ポリシー情報を示す１つまたは複数の制御フレームによって課されるオーバーヘッドを低減するための方法のフローチャート。
【図１３】様々な実施形態による、応答ポリシー情報を示す１つまたは複数の制御フレームによって課されるオーバーヘッドを低減するための方法のフローチャート。
【図１４】様々な実施形態による、応答ポリシー情報を示す１つまたは複数の制御フレームによって課されるオーバーヘッドを低減するための方法のフローチャート。
【発明を実施するための形態】
【００２１】
[0034]説明する特徴は、概して、ＲＴＳ／ＣＴＳ技法を実装する制御フレームなど、応答ポリシー情報を示す１つまたは複数の制御フレームによって課されるオーバーヘッドを低減するための１つまたは複数の改善されたシステム、方法、および装置に関する。特に、たとえば、通信リンクを確立するためにＳＴＡによってＡＰに制御フレームが送信され得、制御フレームは、物理レイヤ（ＰＨＹ）ヘッダと少なくとも１つの媒体アクセス制御（ＭＡＣ）プロトコルデータユニット（ＭＰＤＵ）とを含む。ＭＰＤＵに関連するＭＰＤＵのための第２の応答ポリシーに取って代わるＭＰＤＵのための第１の応答ポリシーがＰＨＹヘッダ中で示され得る。制御フレームは、ワイヤレス媒体にアクセスし、通信リンクの確立を開始するために、上記で説明したように旧来のＲＴＳフレームの代わりに送信され得る。制御フレームのＰＨＹヘッダ中で第１の応答ポリシーを示すことは、制御フレームが旧来のＲＴＳフレームよりも少ないリソースを利用するように、制御フレームのサイズを低減し得る。第１の応答ポリシーを示すＰＨＹヘッダをもつ応答要求型送信可（ＲＣＴＳ）フレームなどの変更ＣＴＳフレームが、ＲＴＳフレームの代わりに使用され得る。
【００２２】
[0035]ＳＴＡは、たとえば、ＡＰまたは別のＳＴＡからなど、制御フレームのＰＨＹヘッダ中で示された第１の応答ポリシーに従う制御フレームへの応答を受信し得る。応答は、ＣＴＳフレームまたはＡＣＫフレームもしくはメッセージであり得る。ＳＴＡは、次いで、受信されたＣＴＳフレームまたはＡＣＫフレームに少なくとも部分的に基づいてワイヤレス媒体上で１つまたは複数のデータフレームを送信し得る。
【００２３】
[0036]上記で説明した技法によってＡＰに制御フレームを送るＳＴＡが単に一例として与えられることを諒解されたい。ＳＴＡは、２つのＳＴＡ間の通信リンクの確立を開始するために、別のＳＴＡに制御フレームを送り得る。ＡＰも、たとえば、１つまたは複数のＳＴＡとの通信リンクの確立を開始するために、制御フレームを送り得る。
【００２４】
[0037]ワイヤレス通信のための方法は、ＰＨＹヘッダと少なくとも１つのＭＰＤＵとを含む制御フレームを送信することを含み得る。ＰＨＹヘッダは同期ブロックを含み得、同期ブロックは、同期ビットの拡張セットとは異なる同期ビットの低減セットを含む。ＰＨＹヘッダは、同期ブロックが同期ビットの低減セットとは異なる同期ビットの拡張セットを含むことを示すフレーム開始デリミタ（ＳＦＤ）フィールドを含み得る。同期ブロック自体が、同期ブロックの拡張セットがＰＨＹヘッダの同期ブロック中に含まれることを示し得る。このようにして、依然として、同期ビットの拡張セットをもつ制御フレームを受信するように構成されたシステムと後方互換性がありながら、同期ビットの低減セットを使用することによって、制御フレームのオーバーヘッドが低減され得る。
【００２５】
[0038]以下の説明は、例を与えるものであり、特許請求の範囲に記載された範囲、適用可能性、または構成を限定するものではない。様々な実施形態は、適宜に様々な手順または構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。本明細書で言及するＷＬＡＮ接続またはリンクは、Ｗｉ−Ｆｉ、Ｗｉ−Ｆｉ  Ｄｉｒｅｃｔ（登録商標）またはＷｉ−Ｆｉ  Ｐ２Ｐ接続もしくはグループ、Ｗｉ−Ｆｉ  Ｄｉｓｐｌａｙ、Ｍｉｒａｃａｓｔ、あるいは他のＷＬＡＮ通信技術と同義であり得る。説明の目的で、説明する方法、システム、およびデバイスは特にＷＬＡＮを指すが、他の無線通信またはアクセス技術が、説明する技法に適合し、その技法を使用して実装され得る。さらに、本出願全体にわたって使用する制御フレームという用語は、制御フレーム（たとえば、ＲＴＳ、ＣＴＳ、ＡＣＫフレームなど）、データフレーム、管理フレーム、または他の同様に指定されたフレームを指すことがある。参照しやすいように、制御フレームは、上述のフレームをまとめて指すために使用される。
【００２６】
[0039]最初に図１を参照すると、ブロック図は、たとえば、ＩＥＥＥ８０２．１１規格ファミリーのうちの少なくとも１つを実装するネットワークなど、ＷＬＡＮまたはＷｉ−Ｆｉネットワークの一例であり得るネットワーク１００を示している。ネットワーク１００は、アクセスポイント（ＡＰ）１０５と、ＳＴＡ＿１〜ＳＴＡ＿７と標示された１つまたは複数のワイヤレス局（ＳＴＡ１１０）とを含み得る。ワイヤレスデバイスは、モバイルハンドセット、携帯情報端末（ＰＤＡ）、他のハンドヘルドデバイス、ネットブック、ノートブックコンピュータ、タブレットコンピュータ、ラップトップ、デスクトップコンピュータ、ディスプレイデバイス（たとえば、ＴＶ、コンピュータモニタなど）、プリンタなどと呼ばれることがある。ただ１つのＡＰ１０５が示されているが、ネットワーク１００は複数のＡＰ１０５を有し得る。ワイヤレス局、局（ＳＴＡ）、移動局（ＭＳ）、モバイルデバイス、アクセス端末（ＡＴ）、ユーザ機器（ＵＥ）、加入者局（ＳＳ）、または加入者ユニットと呼ばれることもある、ＳＴＡ１１０の各々は、通信リンク１１５を介してＡＰ１０５に関連し、それと通信し得る。各ＡＰ１０５は、そのエリア内のＳＴＡ１１０が一般にＡＰ１０５と通信することができるようなカバレージエリア１２５を有する。ＳＴＡ１１０はカバレージエリア１２５全体にわたって分散され得る。各ＳＴＡ１１０は固定または移動であり得る。
【００２７】
[0040]図１には示されていないが、ＳＴＡ１１０は、２つ以上のＡＰ１０５によってカバーされ得、したがって、異なる時間に１つまたは複数のＡＰ１０５と関連することができる。単一のＡＰ１０５と、局の関連するセットとは、基本サービスセット（ＢＳＳ）と呼ばれることがある。拡張サービスセット（ＥＳＳ）は接続されたＢＳＳのセットである。拡張サービスセット中のＡＰ１０５を接続するために、配信システム（ＤＳ）（図示せず）が使用される。ＡＰ１０５のためのカバレージエリア１２５は、カバレージエリアの一部分のみを構成するセクタに分割され得る（図示せず）。ネットワーク１００は、異なるサイズのカバレージエリア、および異なる技術のための重複するカバレージエリアとともに、異なるタイプ（たとえば、メトロポリタンエリア、ホームネットワークなど）のＡＰ１０５を含み得る。図示されていないが、他のワイヤレスデバイスがＡＰ１０５と通信することができる。
【００２８】
[0041]ＳＴＡ１１０は、通信リンク１１５を使用してＡＰ１０５を通して互いと通信し得るが、各ＳＴＡ１１０はまた、直接ワイヤレス通信リンク１２０を介して１つまたは複数の他のＳＴＡ１１０と直接通信し得る。２つまたはそれ以上のＳＴＡ１１０は、両方のＳＴＡ１１０がＡＰカバレージエリア１２５中にあるとき、１つのＳＴＡ１１０がＡＰカバレージエリア１２５内にあるとき、またはＳＴＡ１１０のいずれもＡＰカバレージエリア１２５内にないとき（図示せず）、直接ワイヤレス通信リンク１２０を介して通信し得る。直接ワイヤレス通信リンク１２０の例としては、Ｗｉ−Ｆｉ  Ｄｉｒｅｃｔ接続、Ｗｉ−Ｆｉトンネルドダイレクトリンクセットアップ（ＴＤＬＳ：Tunneled Direct Link Setup）リンクを使用することによって確立される接続、および他のＰ２Ｐグループ接続があり得る。これらの例におけるＳＴＡ１１０およびＡＰ１０５は、ＩＥＥＥ８０２．１１、および限定はしないが、８０２．１１ｂ、８０２．１１ｇ、８０２．１１ａ、８０２．１１ｎ、８０２．１１ａｃ、８０２．１１ａｄ、８０２．１１ａｈなどを含むそれの様々なバージョンからの、物理レイヤとＭＡＣレイヤとを含むＷＬＡＮ無線およびベースバンドプロトコルに従って通信し得る。他の実装形態では、他のピアツーピア接続またはアドホックネットワークがネットワーク１００において実装され得る。
【００２９】
[0042]ネットワーク１００のＡＰ１０５または１つまたは複数のＳＴＡ１１０は、本明細書で説明する技法に従って、通信リンクの確立を開始するために、ＲＴＳ／ＣＴＳメッセージングなどの制御フレームメッセージングを使用するように構成され得る。ＳＴＡ１１０は、ワイヤレス媒体へのアクセスを要求し、通信リンク１２０、１１５の確立を開始するために、ＰＨＹヘッダとＭＰＤＵとを含む制御フレームを、たとえば、別のＳＴＡ１１０またはＡＰ１０５に送信し得る。ＳＴＡ１１０は、ＭＰＤＵのＡＣＫポリシーなど、ＭＰＤＵに関連するＭＰＤＵのための第２の応答ポリシーに取って代わるＭＰＤＵのための第１の応答ポリシーを示すようにＰＨＹヘッダを構成し得る。制御フレームは、ＲＴＳフレームの代わりにＳＴＡ１１０によって送信され得る。追加または代替として、ＳＴＡ１１０は、同期ビットの拡張セットとは異なる同期ビットの低減セットを含むように制御フレームのＰＨＹヘッダの同期ブロックを構成し得る。これらの方法を使用することによって、ＳＴＡ１１０は、別のＳＴＡ１１０またはＡＰ１０５など、別のデバイスとの通信リンクの確立を開始するための応答ポリシーを示す制御フレームのオーバーヘッドを低減し得る。
【００３０】
[0043]ＡＰ１０５も、ＰＨＹヘッダと少なくとも１つのＭＰＤＵとを含む制御フレームを、たとえばＳＴＡ１１０に送信することによって、上記で説明した技法を実装し得る。ＡＰ１０５は、ＳＴＡ１１０に関して上記で説明したのと同様に、ＭＰＤＵに関連するＭＰＤＵのための第２の応答ポリシーに取って代わるＭＰＤＵのための第１の応答ポリシーを示すようにＰＨＹヘッダを構成し得る。追加または代替として、ＡＰ１０５は、同期ビットの拡張セットとは異なる同期ビットの低減セットを含むように制御フレームのＰＨＹヘッダの同期ブロックを構成し得る。したがって、ＡＰ１０５とＳＴＡ１１０の両方は、説明した技法を利用する際に、通信リンクを確立する際の、応答ポリシーメッセージングのオーバーヘッドの低減、スループットの増加、遅延の低減など、１つまたは複数の利益を実現し得る。
【００３１】
[0044]次に図２を参照すると、システム２００は、通信リンク１１５−ａを介してモバイルデバイスまたはＳＴＡ１１０−ａと通信しているＡＰ１０５−ａを含む。ＡＰ１０５−ａおよびＳＴＡ１１０−ａは、図１を参照しながら上記で説明したＡＰ１０５およびＳＴＡ１１０の例であり得る。さらに、システム２００は、図１を参照しながら説明したネットワーク１００の一例またはそれの一部分であり得る。ＡＰ１０５−ａは、ワイヤレスまたはワイヤードであり得るバックホールリンクなどの通信リンク２１０を介してネットワーク２０５と通信していることがある。ＡＰ１０５−ａは、たとえば、Ｗｉ−ＦｉなどのＷＬＡＮ技術を実装する通信リンク１１５−ａを介してＳＴＡ１１０−ａと通信し得る。
【００３２】
[0045]ＳＴＡ１１０−ａは、ＡＰ１０５−ａに通信すべきデータを有し得る。ＳＴＡ１１０−ａとＡＰ１０５−ａとの間の通信リンク１１５−ａの確立を開始するために、ＳＴＡ１１０−ａは、最初に、１つまたは複数の制御フレーム、たとえば１つまたは複数のＲＴＳフレームを構成し得る。ＳＴＡ１１０−ａは、ＡＰ１０５−ａにデータを送る前に、ＡＰ１０５−ａとの通信リンク１１５−ａを確認するために１つまたは複数の制御フレーム２１５を送り得る。最初に制御フレームをＡＰ１０５−ａに送ることによって、ＳＴＡ１１０−ａは、他のデバイス（図示せず）から受信される干渉を低減し得るか、または他のデバイスに対して引き起こされる干渉を低減し得る。ＡＰ１０５−ａは、１つまたは複数の制御フレーム２１５を受信し、制御フレーム中でまたはそれによって示された応答ポリシーに従って応答し得る。ＡＰ１０５−ａは、応答メッセージ２２０でＳＴＡ１１０−ａに応答し得る。ＳＴＡ１１０−ａがＡＰ１０５−ａから応答メッセージ２２０を受信すると、ＳＴＡ１１０−ａは、通信リンク１１５−ａ上でＡＰ１０５−ａに１つまたは複数のデータフレームを送信し始め得る。
【００３３】
[0046]制御フレームはＰＨＹヘッダと少なくとも１つのＭＰＤＵとを含み得る。ＭＰＤＵは、いくつかの事例では、ＣＴＳメッセージまたはＡＣＫメッセージのうちの少なくとも１つを含み得る。ＳＴＡ１１０−ａは、ＭＰＤＵのＡＣＫポリシーなど、ＭＡＣレイヤにおいてＭＰＤＵによって指定された、または他の方法でそれに関連付けられたＭＰＤＵのための第２の応答ポリシーに取って代わるＭＰＤＵのための第１の応答ポリシーを示すように制御フレームのＰＨＹヘッダを構成し得る。ＡＰ１０５−ａは、制御フレームを受信し、第１の応答ポリシーに従って１つまたは複数の応答メッセージ２２０をＳＴＡ１１０−ａに送り得る。
【００３４】
[0047]追加または代替として、ＳＴＡ１１０−ａは、同期ビットの拡張セットとは異なる同期ビットの低減セットを含むように制御フレームのＰＨＹヘッダの同期ブロックを構成し得る。
【００３５】
[0048]制御フレームの１つまたは複数のＭＰＤＵに関連する第２の応答ポリシーとは無関係の第１の応答ポリシーを利用すること、または同期ビットの低減セットを含む同期ブロックを使用することによって、以下の図４Ａ〜図８を参照しながらさらに詳細に説明するように、応答ポリシーメッセージングのためのオーバーヘッドが低減され得る。
【００３６】
[0049]次に図３を参照すると、システム３００は、本明細書で説明する技法による、ＳＴＡ１１０−ｂとＡＰ１０５−ｂとの間の例示的な通信を示している。ＡＰ１０５−ｂおよびＳＴＡ１１０−ｂは、図１または図２を参照しながら上記で説明したＡＰ１０５およびＳＴＡ１１０の例であり得る。さらに、システム３００は、図１または図２を参照しながら説明したネットワーク１００またはシステム２００の一例であるか、それの一部分であるか、またはそれによって使用され得る。
【００３７】
[0050]ブロック３０５において、ＳＴＡ１１０−ｂのＰＨＹレイヤが、たとえばＳＴＡ１１０−ｂのＭＡＣレイヤから、ＡＰ１０５−ｂへの送信のための１つまたは複数のＭＰＤＵを受信する。ブロック３１０において、ＳＴＡ１１０−ｂは、次いで、制御フレームへの応答が要求されることを示すサービスフィールドを含むように制御フレームのＰＨＹヘッダを構成する。ＳＴＡ１１０−ｂは、次いで、ＰＨＹヘッダと１つまたは複数のＭＰＤＵとを含む制御フレームをアセンブルし得る。１つまたは複数のＭＰＤＵは、ＣＴＳメッセージまたはＡＣＫメッセージのうちの少なくとも１つを含み得る。ＰＨＹヘッダ中で示される応答ポリシーは、ＭＡＣレイヤにおいて個々のＭＰＤＵに関連付けられた１つまたは複数の応答ポリシーに取って代わり得る。ＰＨＹヘッダ中に（１つまたは複数の）ＭＰＤＵのための取って代わる応答ポリシーを含んでいる制御フレームは、応答要求送信可（ＲＣＴＳ：Response Request Clear to Send）フレームと呼ばれることがあり、通信リンクの確立を開始するために、旧来のＲＴＳフレームの代わりに使用され得る。ＲＣＴＳフレームは旧来のＲＴＳフレームよりも少ないリソースを利用し得る。ＲＴＳ／ＣＴＳメッセージングのために利用されるリソースの量が低減され得る。
【００３８】
[0051]ＳＴＡ１１０−ｂはＡＰ１０５−ｂにＲＣＴＳフレーム３１５を送信し得る。ブロック３２０において、ＡＰ１０５−ｂは、ＲＣＴＳフレームのＰＨＹヘッダのサービスフィールドから応答ポリシーを決定する。ＡＰ１０５−ｂは、決定された応答ポリシーに従ってＡＣＫメッセージ３２５を送り得る。ＡＣＫメッセージを受信すると、ＳＴＡ１１０−ｂは、次いで、ＡＰ１０５−ｂにデータを送信し始め得る。
【００３９】
[0052]ブロック３０５、３１０、または３１５は、ＳＴＡ１１０−ｂのＰＨＹレイヤによって実施され得る。他の例では、ＳＴＡ１１０−ｂの他のレイヤが、ブロック３０５、３１０、または３１５のうちの１つまたは複数を実施し得る。
【００４０】
[0053]次に図４Ａを参照すると、ブロック図は拡張送信要求（ＲＴＳ）フレーム４００−ａの一例を示している。拡張ＲＴＳフレーム４００−ａは、図１、図２、または図３を参照しながら上記で説明したネットワーク１００またはシステム２００またはシステム３００のいずれかにおいて使用され得る。拡張ＲＴＳフレーム４００−ａは、ＰＨＹヘッダであり得る拡張ＰＨＹヘッダ４０５またはプリアンブルと、フレーム制御（ＦＣ）フィールド４１０−ａと、持続時間（ＤＵＲ）フィールド４１５−ａと、受信機アドレス（ＲＡ）フィールド４２０−ａと、送信機アドレス（ＴＡ）フィールド４２５−ａと、フレーム検査シーケンス（ＦＣＳ）フィールド４３０−ａとを含み得る。
【００４１】
[0054]概して、拡張ＲＴＳフレーム４００−ａなどのＲＴＳフレームは、２０オクテット＋拡張ＰＨＹヘッダ４０５またはプリアンブルの長さからなる。ＦＣフィールド４１０−ａは、２オクテットであり得、フレームがＲＴＳフレームであることを示し得る。ＤＵＲフィールド４１５−ａは、同じく２オクテットであり得、拡張ＲＴＳフレーム４００−ａの持続時間を示し得る。ＲＡフィールド４２０−ａは、６オクテットであり得、受信デバイスのアドレスを示し得る。同様に、ＴＡフィールド４２５−ａは、同じく６オクテットであり得、送信デバイスのアドレスを示し得る。ＦＣＳフィールド４３０−ａは、４オクテットであり得、当技術分野でよく知られている技法によって誤り検出のために使用され得る。
【００４２】
[0055]拡張ＲＴＳフレーム４００−ａなどのＲＴＳフレームは、８０２．１１に従って、低ＰＨＹレート、たとえば１メガビット毎秒（Ｍｂｐｓ）直接シーケンススペクトラム拡散（ＤＳＳＳ）ＰＨＹで送信されるとき、著しいオーバーヘッドを招くことがある。１Ｍｂｐｓ  ＤＳＳＳ  ＰＨＹで送信されるときの拡張ＲＴＳフレーム４００−ａ全体は長さが３５２μｓであり得、拡張ＰＨＹヘッダ４０５は１９２μｓを備え、ＤＵＲフィールド４１５−ａ、ＲＡフィールド４２０−ａ、ＴＡフィールド４２５−ａ、およびＦＣＳフィールド４３０−ａと組み合わせたＦＣフィールド４１０−ａは１６０μｓを備える。
【００４３】
[0056]次に図４Ｂを参照すると、低減ＤＳＳＳ  １Ｍｂｐｓ  ＰＨＹヘッダ４３５またはプリアンブルをもつ低減ＲＴＳフレーム４００−ｂが示されている。ＲＴＳフレーム４００−ｂのＦＣフィールド４１０−ｂ、ＤＵＲフィールド４１５−ｂ、ＲＡフィールド４２０−ｂ、ＴＡフィールド４２５−ｂ、およびＦＣＳフィールド４３０−ｂは、それぞれ、図４Ａを参照しながら上記で説明した拡張ＲＴＳフレーム４００−ａのＦＣフィールド４１０−ａ、ＤＵＲフィールド４１５−ａ、ＲＡフィールド４２０−ａ、ＴＡフィールド４２５−ａ、およびＦＣＳフィールド４３０−ａと同じ情報を含み、同じリソースを利用し得る。しかしながら、低減ＰＨＹヘッダ４３５は、低減ＰＨＹヘッダ４３５が拡張ＲＴＳフレーム４００−ａのＰＨＹヘッダ４０５よりも少ないリソースを利用するように、低減され得る。低減ＰＨＹヘッダ４３５は、長さが１２０μｓであり得、１６０μｓの組み合わせられた長さを有する、ＦＣフィールド４１０−ｂ、ＤＵＲフィールド４１５−ｂ、ＲＡフィールド４２０−ｂ、ＴＡフィールド４２５−ｂ、およびＦＣＳフィールド４３０−ｂと組み合わせられて、ＲＴＳフレーム４００−ｂの長さを拡張ＲＴＳフレーム４００−ａの３５２μｓの長さから２８０μｓに低減し得る。低減ＰＨＹヘッダ４３５およびそれの構成について、図５Ａ〜図５Ｃを参照しながら以下でさらに詳細に説明する。
【００４４】
[0057]次に図５Ａを参照すると、図４ＡのＰＨＹヘッダ４０５またはプリアンブルなど、拡張ＰＨＹヘッダ４０５−ａまたはプリアンブルの一例のブロック図が示されている。長さが１９２μｓであり得る拡張ＰＨＹヘッダ４０５−ａは、同期（ＳＹＮＣ）ブロック５０５と、フレーム開始デリミタ（ＳＦＤ）フィールド５１０−ａと、信号フィールド５１５−ａと、サービスフィールド５２０−ａと、長さフィールド５２５−ａと、巡回冗長検査（ＣＲＣ）フィールド５３０−ａとを含み得る。
【００４５】
[0058]ＳＹＮＣブロック５０５は、長さが１６オクテットであり、１２８個のスクランブルされた１を含み得る。１２８ビットは同期ビットの拡張セットと呼ばれることがある。ＳＦＤフィールド５１０−ａは、長さが２オクテットであり得、ロングプリアンブル、たとえば１２８ビットが、シーケンスｆ３ａ０ｈによってなど、拡張ＰＨＹヘッダ４０５−ａ中で使用されていることを示し得る。信号フィールド５１５−ａは、長さが１オクテットであり得、拡張ＰＨＹヘッダ４０５−ａにアタッチされたペイロードが送信されているＰＨＹレートを示し得る。たとえば、信号フィールド５１５−ａは、シーケンスａ０ｈを含み、１Ｍｂｐｓのレートを示し得る。ＳＹＮＣブロック５０５およびＳＦＤフィールド５１０−ａは、信号フィールド５１５−ａ、サービスフィールド５２０−ａ、長さフィールド５２５−ａ、またはＣＲＣフィールド５３０−ａも、指定されたレート、たとえば１Ｍｂｐｓで送信され得ることを示し得る。
【００４６】
[0059]サービスフィールド５２０−ａは、概して未使用または予約済みであり得、長さが１オクテットであり得る。サービスフィールド５２０−ａは、以下でより詳細に説明するように、１つまたは複数のアタッチされたＭＰＤＵに関連する応答ポリシーに取って代わる、制御フレーム、たとえばＲＴＳフレーム４００−ａ、４００−ｂのための第１の応答ポリシーを示すために使用され得る。長さフィールド５２５−ａは、２オクテットであり得、アタッチされたＭＰＤＵの長さを示し得る。ＣＲＣフィールド５３０−ａは、２オクテットであり得、当技術分野でよく知られている技法によって誤り検出のために使用され得る。
【００４７】
[0060]次に図５Ｂを参照すると、図４Ｂの低減ＰＨＹヘッダ４３５またはプリアンブルなど、低減ＰＨＹヘッダ４３５−ａまたはプリアンブルの一例のブロック図が示されている。長さが１２０μｓであり得る低減ＰＨＹヘッダ４３５−ａは、拡張ＰＨＹヘッダ４０５−ａと比較して低減され得、ＳＹＮＣブロック５３５と、フレーム開始デリミタ（ＳＦＤ）フィールド５１０−ｂと、信号フィールド５１５−ｂと、サービスフィールド５２０−ｂと、長さフィールド５２５−ｂと、巡回冗長検査（ＣＲＣ）フィールド５３０−ｂとを含み得る。
【００４８】
[0061]低減ＰＨＹヘッダ４３５−ａのＳＹＮＣブロック５３５は、長さが７オクテットであり、５６個のスクランブルされた１を含み得る。５６ビットは、同期ビットの拡張セットと比較したとき、同期ビットの低減セットと呼ばれることがある。たとえば、６４ビットまたは７２ビットなど、ＳＹＮＣブロック５３５中の他のビット数も同期ビットの低減セットと呼ばれることがある。ＳＦＤフィールド５１０−ｂは、長さが２オクテットであり得、本明細書では同期ビットの拡張セットとも呼ぶ、ロングプリアンブル、たとえば１２８ビットが、シーケンスｆ３ａ０ｈによってなど、低減ＰＨＹヘッダ４３５−ａ中で使用されていることを示し得る。低減ＰＨＹヘッダ４３５−ａの他のフィールドは、拡張ＰＨＹヘッダ４０５−ａの同様の番号付けをもつフィールドと同様の方法で構成され得、簡潔のためにここでは繰り返さない。
【００４９】
[0062]ロングプリアンブル、たとえば１２８のビットが低減ＰＨＹヘッダ／プリアンブル４３５−ａのために利用されることを示すＳＦＤフィールド５１０−ｂと組み合わせた低減ＳＹＮＣブロック５３５は、ＳＴＡ１１０およびＡＰ１０５など、他のデバイスが、ロングＰＨＹヘッダまたはプリアンブルをもつ制御フレーム（たとえば、１２８ビットＳＹＮＣフィールドをもつＰＨＹヘッダ４０５、４０５−ａ）と同様の方法で低減ＰＨＹヘッダ４３５、４３５−ａまたはプリアンブルを含む制御フレームを扱い、復号することを可能にし得る。このようにして、制御フレームは、低減ＰＨＹプリアンブル４３５−ａ、４３５とともに構成されるが、依然として、制御フェイムがロングＰＨＹヘッダまたはプリアンブル、たとえば、図４Ａまたは図５ＡのＰＨＹヘッダ４０５、４０５−ａまたはプリアンブルを含むかのように扱われ得る。この構成は、たとえば、８０２．１１ｂなど、複数の８０２．１１規格を利用するシステムおよびネットワークとの適合性を可能にし得る。５６個のスクランブルされた１をもつ低減ＳＹＮＣブロック５３５を使用することによって、低減ＰＨＹヘッダ４３５−ｂは、８０２．１１ｂを実装するシステムおよびデバイスに適合し得る。その結果、低減ＳＹＮＣブロック５３５は、制御フレーム／ＲＴＳ／ＣＴＳメッセージングのためにヘッダ／プリアンブルによって利用されるリソースを、たとえば１９２μｓから１２０μｓに減少させ得る。
【００５０】
[0063]次に図５Ｃを参照すると、図４Ｂの低減ＰＨＹヘッダ４３５またはプリアンブルなど、低減ＰＨＹヘッダ４３５−ｂまたはプリアンブルの一例のブロック図が示されている。長さが９６μｓであり得る低減ＰＨＹヘッダ４３５−ｂは、拡張ＰＨＹヘッダ４０５−ａと比較して低減され得、ＳＹＮＣブロック５４０と、フレーム開始デリミタ（ＳＦＤ）フィールド５１０−ｃと、信号フィールド５１５−ｃと、サービスフィールド５２０−ｃと、長さフィールド５２５−ｃと、巡回冗長検査（ＣＲＣ）フィールド５３０−ｃとを含み得る。
【００５１】
[0064]ＳＹＮＣブロック５４０は、長さが７オクテットであり、５６個のスクランブルされた０を含み得る。５６個のスクランブルされた０は、制御フレームが、高レート（ＨＲ）ＤＳＳＳ低減ヘッダフォーマットなど、８０２．１１ｂ規格を実装するデバイスをサポートすることを示し得る。低減ＰＨＹヘッダ４３５−ｂのＳＦＤフィールド５１０−ｃは、低減ＰＨＹヘッダ４３５−ｂが低減ＨＲ  ＤＳＳＳ  ＰＨＹヘッダを含むことを示す反転ｆ３ａ０ｈシーケンスを含み得る。低減ＰＨＹヘッダ４３５−ｂの信号フィールド５１５−ｃは、シーケンス「１４ｈ」を含み得、低減ＰＨＹヘッダ４３５−ｂまたはアタッチされたＭＰＤＵが２Ｍｂｐｓのレートで送信され得ることを示し得る。低減ＰＨＹヘッダ４３５−ｂの他のフィールドは、ＰＨＹヘッダ４０５−ａ、４３５−ａの同様の番号付けをもつフィールドと同様の方法で構成され得、簡潔のためにここでは繰り返さない。
【００５２】
[0065]５６個のスクランブルされた０をもつ低減ＳＹＮＣブロック５４０を使用することによって、図５Ｃの低減ＰＨＹヘッダ４３５−ｂは、図５Ｂの低減ＰＨＹヘッダ４３５−ａと区別され得、したがって、８０２．１１ｂを実装するシステムおよびデバイスに適合し得る。後続のフィールドを２Ｍｂｐｓで送信することは、低減ＰＨＹヘッダの持続時間を１９２μｓから１２０μｓに減少させる生じ得る。
【００５３】
[0066]次に図６Ａおよび図６Ｂを参照すると、図５Ａ〜図５Ｃのサービスフィールド５２０など、サービスフィールド６００−ａ、６００−ｂの例のブロック図が示されている。各サービスフィールド６００−ａ、６００−ｂは８ビット、ｂ０〜ｂ７を含み得る。概して、１Ｍｂｐｓ  ＤＳＳＳ  ＰＨＹヘッダ実装形態の場合、ビットｂ０〜ｂ７の大部分またはすべては予約済みである。たとえば、サービスフィールド６００−ａでは、ビットｂ０  ６０５−ａ、ｂ１  ６１０−ａ、ｂ３  ６２０−ａ、ｂ４、６２５−ａ、ｂ５  ６３０−ａ、およびｂ６  ６３５−ａは予約済みである。ビットｂ２  ６１５−ａは、クロック動作のためになど、ロック済みであり、ビットｂ７  ６４０−ａは、たとえば、長さ拡張値を含む。
【００５４】
[0067]サービスフィールド６００−ｂでは、あるビット、たとえばビットｂ３が応答インジケーション値６４５と置き換えられ得る。応答インジケーション値は、１つまたは複数のアタッチされたＭＰＤＵに関連する第２の応答ポリシーに取って代わる制御フレームのための第１の応答ポリシーを示し得る。１に設定された応答インジケーション値６４５は、応答が要求されることを示し得るが、０に設定された応答インジケーション値６４５は、１つまたは複数のアタッチされたＭＰＤＵの第２の応答ポリシーが従われるべきであることを示し得る。制御フレームのための第１の応答ポリシーに関するさらなる命令を示すために、サービスフィールド６００−ｂ中で２つ以上のビットが使用され得る。このようにして、１つまたは複数のアタッチされたＭＰＤＵに固有の第２の応答ポリシーに取って代わる第１の応答ポリシーを示すために、制御フレームのＰＨＹヘッダのサービスフィールド５２０、６００中で１つまたは複数のビットが使用され得る。
【００５５】
[0068]次に図７Ａを参照すると、ブロック図は変更制御フレーム７００−ａの一例を示している。変更制御フレーム７００−ａは、図１、図２、または図３を参照しながら上記で説明したネットワーク１００またはシステム２００またはシステム３００のいずれかにおいて使用され得る。変更制御フレーム７００−ａは、拡張ＰＨＹヘッダ７０５のサービスフィールド中で示される第１の応答ポリシーをもつ、図５Ａを参照しながら説明した拡張ＰＨＹヘッダ４０５−ａの一例であり得る拡張ＰＨＹヘッダ７０５またはプリアンブルと、フレーム制御（ＦＣ）フィールド７１０−ａと、持続時間（ＤＵＲ）フィールド７１５−ａと、受信機アドレス（ＲＡ）フィールド７２０−ａと、フレーム検査シーケンス（ＦＣＳ）フィールド７３０−ａとを含み得る。
【００５６】
[0069]変更制御フレーム７００−ａは、たとえば、拡張ＲＴＳフレーム４００−ａと同様であるが、ＴＡフィールド４２５−ａをもたない、応答ポリシーを示すために変更された拡張ＰＨＹヘッダ７０５をもつＣＴＳフレームとして構成され得る。変更制御フレーム７００−ａは、制御フレームメッセージングのオーバーヘッドを低減するために、拡張ＲＴＳフレーム４００−ａなどのＲＴＳフレームの代わりに使用され得る。変更制御フレーム７００−ａがＤＳＳＳ  １Ｍｂｐｓ  ＰＨＹヘッダのために構成されたときなど、一実装形態では、ＦＣフィールド７１０−ａ、ＤＵＲ７１５−ａ、ＲＡフィールド７２０−ａ、およびＦＣＳフィールド７３０−ａは長さが１４オクテット、たとえば１１２μｓであり得る。長さのこの低減は、変更制御フレーム７００−ａによって利用される無線リソースを、拡張ＲＴＳフレーム４００−ａによって利用される３５２μｓから３０４μｓに低減し得る（たとえば、ＴＡフィールド４２５−ａをもたない拡張ＲＴＳフレーム４００−ａ）。
【００５７】
[0070]次に図７Ｂを参照すると、ブロック図は変更制御フレーム７００−ｂの別の例を示している。変更制御フレーム７００−ｂは、図１、図２、または図３を参照しながら上記で説明したネットワーク１００またはシステム２００またはシステム３００のいずれかにおいて使用され得る。変更制御フレーム７００−ｂは、低減ＰＨＹヘッダ７３５のサービスフィールド中で示される第１の応答ポリシーをもつ低減ＰＨＹヘッダ７３５またはプリアンブルと、フレーム制御（ＦＣ）フィールド７１０−ｂと、持続時間（ＤＵＲ）フィールド７１５−ｂと、受信機アドレス（ＲＡ）フィールド７２０−ｂと、フレーム検査シーケンス（ＦＣＳ）フィールド７３０−ｂとを含み得る。
【００５８】
[0071]変更制御フレーム７００−ｂは、たとえば、ＴＡフィールド４２５−ｂをもたないＲＴＳフレーム４００−ｂと同様の、応答ポリシーを示すために変更された低減ＰＨＹヘッダ７３５をもつＣＴＳフレームとして構成され得る。変更制御フレーム７００−ｂは、制御フレームメッセージングのオーバーヘッドを低減するために、図４Ａ〜図４ＢのＲＴＳフレーム４００−ａまたは４００−ｂなどのＲＴＳフレームの代わりに使用され得る。変更制御フレーム７００−ｂがＤＳＳＳ  １Ｍｂｐｓ  ＰＨＹヘッダのために構成されたときなど、一実装形態では、ＦＣフィールド７１０−ｂ、ＤＵＲ７１５−ｂ、ＲＡフィールド７２０−ｂ、およびＦＣＳフィールド７３０−ｂは長さが１４オクテット、たとえば１１２μｓであり得る。長さのこの低減は、変更制御フレーム７００−ｂによって利用される無線リソースを、拡張ＲＴＳフレーム４００−ａによって利用される３５２μｓから３０４μｓに低減し得る（図７Ａ参照）。変更制御フレーム７００−ｂは、図５Ｂを参照しながら説明した低減ＰＨＹヘッダ４３５−ａの一例であり得る低減ＰＨＹヘッダ７３５を利用することによって、変更制御フレーム７００−ａよりも少ないリソースを利用し得る。プリアンブル長のこの低減は、さらに、無線リソース使用量をさらなる７２μｓだけ低減し得る。このようにして、制御フレームのＰＨＹヘッダ中の応答ポリシーのインジケーションを使用すること、またはＰＨＹヘッダのＳＹＮＣブロック中の同期ビットの低減セットを利用することによって、制御フレームメッセージングによって利用されるリソースは、３５２μｓから２３２μｓになど、低減され得る。
【００５９】
[0072]次に図８を参照すると、制御メッセージングのオーバーヘッドを低減するための本明細書で説明する技法を利用する２つのＳＴＡ８０５、８１０間の通信８００のブロック図が示されている。ＳＴＡ８０５、８１０は、前の図で説明したＳＴＡ１１０のうちの１つまたは複数の例であり得る。ＳＴＡ８０５、８１０間の通信８００は、図１、図２、または図３を参照しながら上記で説明したネットワーク１００またはシステム２００またはシステム３００のうちの１つまたは複数において実装され得、図２、図３、図４Ａ、図４Ｂ、図７Ａ、または図７Ｂを参照しながら説明した制御フレームまたはメッセージのうちの１つまたは複数を実装し得る。
【００６０】
[0073]ＳＴＡ１  ８０５は、上記で説明した変更制御フレーム７００−ａ、７００−ｂのうちの１つまたは複数であり得る（たとえば、ＲＣＴＳフレームとも呼ばれる）変更制御フレーム８１５を構成し、ＳＴＡ２  ８１０に送信し得る。ＳＴＡ１  ８０５は、ＳＴＡ２  ８１０を示すアドレスにＲＡフィールドを設定することによって予定受信側デバイスを示し得る。ＳＴＡ１  ８０５は、上記で説明した技法に従って、応答が要求されることを示すために、変更制御フレーム８１５のＰＨＹヘッダのサービスフィールド中でビットを設定し得る。ＳＴＡ２  ８１０が変更制御フレームを受信する前に、たとえば１０μｓのショートフレームスペース（ＳＩＦＳ）が生じ得る。ＳＴＡ２  ８１０は、次いで、変更制御フレーム８１５のＰＨＹヘッダ中で示された応答ポリシーに従って、ＡＣＫメッセージ８２５を構成し、それをＳＴＡ１  ８０５に送信し得る。ＳＴＡ２  ８１０は、ＡＣＫメッセージの受信時に応答が要求されないことを示すために、やはり変更制御フレーム８１５と同じフォーマットであり得るＡＣＫメッセージを構成し得る。したがって、変更制御フレーム８１５は拡張ＲＴＳフレームを送信し得、ＡＣＫメッセージ８２５は拡張ＣＴＳメッセージを置き換え得る。変更制御フレーム８１５および関係するＡＣＫメッセージ８２５を送信および受信するために使用される処理および無線リソースは、拡張ＲＴＳ／ＣＴＳペアを送信および受信するために使用されるものよりも少ないことがある。場合によっては、ＳＴＡ２  ８１０は、ＰＨＹヘッダ中のＲＡフィールドをＳＴＡ１  ８０５のアドレスに設定することによって予定受信側を示し得る。
【００６１】
[0074]ＳＴＡ１  ８０５がＡＣＫフレームを受信する前に、たとえば１０μｓのＳＩＦＳが生じ得る。ＳＴＡ１  ８０５は、次いで、ＲＣＴＳおよびＡＣＫメッセージ交換を介して確立された通信リンク上でＳＴＡ２  ８１０にデータ８３５を送信し始め得る。
【００６２】
[0075]図９に、様々な実施形態による、１つまたは複数の制御フレームのオーバーヘッドを低減するために構成され得るデバイス９０５の一例を示すブロック図９００を示す。デバイス９０５は、前の図を参照しながら上記で説明したＡＰ１０５またはＳＴＡ１１０の１つまたは複数の態様の一例であり得る。デバイス９０５はまた、図１、図２、または図３を参照しながら説明したネットワーク１００またはシステム２００またはシステム３００の一部分であるか、またはそれの内で動作し得る。デバイス９０５は、受信機９１０、応答ポリシーマネージャ９１５、または送信機９２０を含み得、実施形態では、その各々が他の構成要素のいずれかまたはすべてに通信可能に結合され得る。
【００６３】
[0076]受信機９１０は、図１、図２、または図３を参照しながら説明したネットワーク１００またはシステム２００またはシステム３００など、ワイヤレス通信システム上で様々なタイプのデータまたは制御信号を受信するために使用され得る。したがって、受信機９１０は、単独で、または他の構成要素と組み合わせて、本明細書で説明するような通信するための手段であり得る。
【００６４】
[0077]送信機９２０は、ネットワーク１００またはシステム２００またはシステム３００など、ワイヤレス通信システム上で様々なタイプのデータまたは制御信号を送信するために使用され得る。したがって、送信機９２０も、単独で、または他の構成要素と組み合わせて、通信するための手段であり得る。
【００６５】
[0078]応答ポリシーマネージャ９１５は、たとえば、ワイヤレス媒体へのアクセスを要求することによって通信リンクの確立を開始するために使用される、制御フレームのＰＨＹヘッダ中で１つまたは複数のＭＰＤＵのための第１の応答ポリシーを示すように構成され得る。制御フレームは、ＲＣＴＳフレームを含み得、ＲＴＳフレームの代わりに送信され得る。第１の応答ポリシーは、制御フレーム中にパッケージングされるべきＭＰＤＵに関連する１つまたは複数のＭＰＤＵのための第２の応答ポリシーに取って代わり得る。応答ポリシーマネージャ９１５は、第１の応答ポリシーを示すために、制御フレームのＰＨＹヘッダのサービスフィールド中で１つまたは複数のビットを設定し得る。第１の応答ポリシーは、応答が要求されることを示し得るか、または制御フレームの１つまたは複数のＭＰＤＵに関連する第２の応答ポリシーが従われ得ることを示し得る。
【００６６】
[0079]応答ポリシーマネージャ９１５は、構成されたＰＨＹヘッダを送信機９２０に通信し得、ここで、ヘッダは、制御フレームを構成するために１つまたは複数のＭＰＤＵにアタッチされ得る。制御フレームは、図７Ａまたは図７Ｂを参照しながら説明した変更制御フレーム７００−ａまたは７００−ｂの一例であり得る。制御フレームの構成の一部または全部は応答ポリシーマネージャ９１５において実施され得る。送信機９２０は、次いで、ワイヤレス媒体にアクセスするために、通信リンクの確立を開始するために、たとえばＡＰ１０５またはＳＴＡ１１０に制御フレームを送信し得る。
【００６７】
[0080]受信機９１０は、制御フレームのＰＨＹヘッダ中で示された応答ポリシーに従う、送信された制御フレームへの応答を受信し得る。ＣＴＳメッセージまたはＡＣＫメッセージを含み得る、受信された応答メッセージによって通信リンクを確認すると、デバイス９０５は、送信機９２０を介して受信側デバイスにデータを送信し得る。
【００６８】
[0081]図１０に、様々な実施形態による、１つまたは複数の制御フレームのオーバーヘッドを低減するために構成され得るデバイス９０５−ａの別の例を示すブロック図１０００を示す。デバイス９０５−ａは、前の図を参照しながら説明したＡＰ１０５、ＳＴＡ１１０、またはデバイス９０５の１つまたは複数の態様の一例であり得る。デバイス９０５−ａはまた、図１、図２、または図３を参照しながら説明したネットワーク１００またはシステム２００またはシステム３００の一部分であるか、またはそれの内で動作し得る。デバイス９０５−ａは、受信機９１０−ａ、応答ポリシーマネージャ９１５−ａ、ＰＨＹヘッダ構成器１００５、または送信機９２０−ａを含み得、実施形態では、その各々が他の構成要素のいずれかまたはすべてに通信可能に結合され得る。
【００６９】
[0082]受信機９１０−ａまたは送信機９２０−ａは、図９の受信機９１０および送信機９２０に関して上記で説明したのと同様の様式で動作し得、したがって簡潔のために、ここでは繰り返さない。
【００７０】
[0083]応答ポリシーマネージャ９１５−ａは、制御フレームのＰＨＹヘッダ中で１つまたは複数のＭＰＤＵのための第１の応答ポリシーを示すように構成され得る。第１の応答ポリシーは、制御フレーム中にパッケージングされるべきＭＰＤＵに関連する１つまたは複数のＭＰＤＵのための第２の応答ポリシーに取って代わり得る。応答ポリシーマネージャ９１５は、第１の応答ポリシーを示すために、制御フレームのＰＨＹヘッダのサービスフィールド中で１つまたは複数のビットを設定し得る。第１の応答ポリシーは、応答が要求されることを示し得るか、または制御フレームの１つまたは複数のＭＰＤＵに関連する第２の応答ポリシーが従われ得ることを示し得る。
【００７１】
[0084]ＰＨＹヘッダ構成器１００５は、同期ビットの低減セットを含むように制御フレームのＰＨＹヘッダの同期ブロックを構成し得る。同期ビットの低減セットは、たとえば、５６個のスクランブルされた１を含み得る。同期ビットの低減セットは、たとえば、１２８個のスクランブルされた１を含む、１２８ビットなど、同期ビットの拡張セットとは異なり得る。たとえば、低減セットは、１２８ビットよりも小さい６４、７２または他のビット数を含み得る。
【００７２】
[0085]ＰＨＹヘッダ構成器１００５と連携した応答ポリシーマネージャ９１５は、同期ブロック中の同期ビットの低減セットに従って、およびＰＨＹヘッダ中で示された応答ポリシーに従って制御フレームを構成し得る。制御フレームは、図７Ｂを参照しながら説明した変更制御フレーム７００−ｂの一例であり得る。応答ポリシーマネージャ９１５またはＰＨＹヘッダ構成器１００５は、受信側デバイスに送信されるべき構成された制御フレームを送信機９２０−ａに通信し得る。このようにして、ワイヤレス媒体を利用するために通信リンクを確立する際に、制御フレームおよび関連する通信のオーバーヘッドが低減され得る。
【００７３】
[0086]ＰＨＹヘッダ構成器１００５は、応答ポリシーマネージャ９１５−ａとは無関係に、またはそれの動作なしに、同期ビットの拡張セットとは異なる同期ビットの低減セットを含むように制御フレームのＰＨＹヘッダの同期ブロックを構成し得る。このようにして、ＰＨＹヘッダ構成器１００５は、送信機９２０−ａと連携して、図４Ｂを参照しながら説明した制御フレーム４００−ｂなどの制御フレームを送信し得る。
【００７４】
[0087]図１１は、様々な実施形態による、１つまたは複数の制御フレームのオーバーヘッドを低減するために構成され得るデバイス９０５−ｂのブロック図１１００である。デバイス９０５−ｂは、前の図を参照しながら説明したＡＰ１０５、ＳＴＡ１１０、またはデバイス９０５、９０５−ａの１つまたは複数の態様の一例であり得る。デバイス９０５−ｂはまた、図１、図２、または図３を参照しながら説明したネットワーク１００またはシステム２００またはシステム３００の一部分であるか、またはそれの内で動作し得る。デバイス９０５−ｂは、パーソナルコンピュータ（たとえば、ラップトップコンピュータ、ネットブックコンピュータ、タブレットコンピュータなど）、スマートフォン、セルラー電話、ＰＤＡ、ウェアラブルコンピューティングデバイス、デジタルビデオレコーダ（ＤＶＲ）、インターネットアプライアンス、ゲームコンソール、電子リーダー、ディスプレイデバイス、プリンタなど、様々な構成のいずれかを有し得る。デバイス９０５−ｂは、モバイル動作を可能にするために、小型バッテリーなどの内部電源（図示せず）を有し得る。
【００７５】
[0088]デバイス９０５−ｂは、（１つまたは複数の）アンテナ１１０５と、トランシーバ１１１０と、メモリ１１２５と、プロセッサ１１２０と、Ｉ／Ｏデバイス１１１５（たとえば、ディスプレイ、タッチスクリーンインターフェース、ボタンなど）とを含み、その各々は、たとえば、１つまたは複数のバス１１３５を介して、互いと直接または間接的に通信していることがある。トランシーバ１１１０は、上記で説明したように、１つまたは複数のワイヤードまたはワイヤレス通信リンク１１５、１２０上でアンテナ１１０５を介して双方向に通信するように構成される。たとえば、トランシーバ１１１０は、前の図を参照しながら上記で説明したように、通信リンク１１５、１２０など、通信リンクを介して他のワイヤレスデバイスまたはＳＴＡ１１０またはＡＰ１０５と双方向に通信するように構成され得る。トランシーバ１１１０は、パケットまたは制御フレームを変調し、変調されたパケットまたは制御フレームを送信のためにアンテナ１１０５に与え、アンテナ１１０５から受信されたパケットまたは制御フレームを復調するように構成されたモデムを含み得る。トランシーバ１１１０は、同じまたは異なる無線インターフェース（たとえば、Ｗｉ−Ｆｉ、セルラーなど）を使用して複数の同時通信リンクを維持するように構成され得る。デバイス９０５−ｂは単一のアンテナ１１０５を含み得るか、またはデバイス９０５−ｂは複数のアンテナ１１０５を含み得る。デバイス９０５−ｂは、ＭＩＭＯ通信システムにおいて通信を送信および受信するために複数のアンテナ１１０５を採用することが可能であり得る。
【００７６】
[0089]メモリ１１２５は、ランダムアクセスメモリ（ＲＡＭ）と読取り専用メモリ（ＲＯＭ）とを含み得る。メモリ１１２５は、実行されるとプロセッサ１１２０に本明細書で説明する様々な機能を実施させるように構成された命令を含んでいるコンピュータ可読、コンピュータ実行可能ソフトウェアコード１１３０を記憶し得る。代替的に、コンピュータ実行可能ソフトウェアコード１１３０は、プロセッサ１１２０によって直接的に実行可能でないことがあるが、（たとえば、コンパイルされ実行されると）コンピュータに本明細書で説明する機能を実施させるように構成され得る。プロセッサ１１２０は、インテリジェントハードウェアデバイス、たとえば、中央処理ユニット（ＣＰＵ）、マイクロコントローラ、特定用途向け集積回路（ＡＳＩＣ）などを含み得る。
【００７７】
[0090]図１１のアーキテクチャによれば、デバイス９０５−ｂは、応答ポリシーマネージャ９１５−ｂとＰＨＹヘッダ構成器１００５−ａとをさらに含む。応答ポリシーマネージャ９１５−ｂおよびＰＨＹヘッダ構成器１００５−ａは、前の図を参照しながら説明したように、１つまたは複数の制御メッセージのオーバーヘッドを低減するための上記で説明した技法を実装し得、したがって簡潔のために、ここでは繰り返さない。例として、デバイス９０５−ｂのこれらの構成要素は、バス１１３５を介してデバイス９０５−ｂの他の構成要素の一部または全部と通信していることがある。追加または代替として、これらの構成要素の機能は、コンピュータ実行可能ソフトウェアコード１１３０に記憶されたコンピュータプログラム製品として、またはプロセッサ１１２０の１つまたは複数のコントローラ要素として、トランシーバ１１１０を介して実装され得る。
【００７８】
[0091]デバイス９０５−ｂの構成要素は、適用可能な機能の一部または全部をハードウェアで実施するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実施され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及された構成要素の各々は、デバイス９０５−ｂの動作に関係する１つまたは複数の機能を実施するための手段であり得る。
【００７９】
[0092]図１２は、様々な実施形態による、１つまたは複数の制御フレームのオーバーヘッドを低減するための方法１２００の一例を示すフローチャートである。明快のために、方法１２００について、前の図を参照しながら説明したＳＴＡ１１０、ＡＰ１０５、またはデバイス９０５のうちの１つの１つまたは複数の態様に関して以下で説明する。デバイス９０５のうちの１つなどのデバイスは、以下で説明する機能を実施するためにデバイス９０５の機能要素を制御するためのコードの１つまたは複数のセットを実行し得る。
【００８０】
[0093]ブロック１２０５において、図９、図１０、または図１１のデバイス９０５などのデバイスは、ＰＨＹヘッダと少なくとも１つのＭＰＤＵとを備える制御フレームを、ＳＴＡ１１０またはＡＰ１０５など、受信側デバイスに送信する。
【００８１】
[0094]ブロック１２１０において、デバイスは、ＰＨＹヘッダ中でＭＰＤＵのための第１の応答ポリシーを示し、第１の応答ポリシーは、ＭＰＤＵに関連するＭＰＤＵのための第２の応答ポリシーに取って代わる。デバイスは、第１の応答ポリシーを示すために、ＰＨＹヘッダのサービスフィールド中で１つまたは複数のビットを設定し得る。制御フレームは、ＲＴＳフレームの代わりにＲＴＳ／ＣＴＳシグナリングのために使用されるＲＣＴＳフレームを含み得る。
【００８２】
[0095]したがって、方法１２００は、制御フレームのＰＨＹヘッダ中で応答ポリシーを示すことによって、１つまたは複数の制御フレームのオーバーヘッドを低減することを可能にし得る。方法１２００は一実装形態にすぎないこと、および方法１２００の動作は、他の実装形態が可能であるように、並べ替えられるかまたは場合によっては変更され得ることに留意されたい。
【００８３】
[0096]図１３は、様々な実施形態による、１つまたは複数の制御フレームのオーバーヘッドを低減するための方法１３００の一例を示すフローチャートである。明快のために、方法１３００について、前の図を参照しながら説明したＳＴＡ１１０、ＡＰ１０５、またはデバイス９０５のうちの１つの１つまたは複数の態様に関して以下で説明する。デバイス９０５のうちの１つなどのデバイスは、以下で説明する機能を実施するためにデバイス９０５の機能要素を制御するためのコードの１つまたは複数のセットを実行し得る。
【００８４】
[0097]ブロック１３０５において、図９、図１０、または図１１のデバイス９０５などのデバイスは、ＰＨＹヘッダと少なくとも１つのＭＰＤＵとを備える制御フレームを、ＳＴＡ１１０またはＡＰ１０５など、受信側デバイスに送信する。
【００８５】
[0098]ブロック１３１０において、デバイスは、ＰＨＹヘッダ中でＭＰＤＵのための第１の応答ポリシーを示し、第１の応答ポリシーは、ＭＰＤＵに関連するＭＰＤＵのための第２の応答ポリシーに取って代わる。デバイスは、第１の応答ポリシーを示すために、ＰＨＹヘッダのサービスフィールド中で１つまたは複数のビットを設定し得る。制御フレームは、ＲＴＳフレームの代わりにＲＴＳ／ＣＴＳシグナリングのために使用されるＲＣＴＳフレームを含み得る。
【００８６】
[0099]ブロック１３１５において、デバイスは、同期ビットの拡張セットとは異なる同期ビットの低減セットを含むようにＰＨＹヘッダの同期ブロックを構成する。
【００８７】
[0100]ブロック１３２０において、デバイスは、たとえば、ＡＰ１０５またはＳＴＡ１１０を含み得る受信側デバイスを形成する、第１の応答ポリシーに従う制御フレームへの応答を受信する。
【００８８】
[0101]ブロック１３２５において、デバイスは、制御フレームへの応答に少なくとも部分的に基づいてワイヤレス媒体上でデータフレームを送信する。
【００８９】
[0102]したがって、方法１３００は、制御フレームのＰＨＹヘッダ中で応答ポリシーを示すことによって、およびＰＨＹヘッダの同期ブロック中で同期ビットの低減セットを使用することによって、１つまたは複数の制御フレームのオーバーヘッドを低減することを可能にし得る。方法１３００は一実装形態にすぎないこと、および方法１３００の動作は、他の実装形態が可能であるように、並べ替えられるかまたは場合によっては変更され得ることに留意されたい。
【００９０】
[0103]図１４は、様々な実施形態による、１つまたは複数の制御フレームのオーバーヘッドを低減するための方法１４００の一例を示すフローチャートである。明快のために、方法１４００について、前の図を参照しながら説明したＳＴＡ１１０、ＡＰ１０５、またはデバイス９０５のうちの１つの１つまたは複数の態様に関して以下で説明する。デバイス９０５のうちの１つなどのデバイスは、以下で説明する機能を実施するためにデバイス９０５の機能要素を制御するためのコードの１つまたは複数のセットを実行し得る。
【００９１】
[0104]ブロック１４０５において、図９、図１０、または図１１のデバイス９０５などのデバイスは、ＰＨＹヘッダと少なくとも１つのＭＰＤＵとを備える制御フレームを、ＳＴＡ１１０またはＡＰ１０５など、受信側デバイスに送信する。
【００９２】
[0105]ブロック１４１０において、デバイスは、同期ビットの拡張セットとは異なる同期ビットの低減セットを含むようにＰＨＹヘッダの同期ブロックを構成する。デバイスは、さらに、同期ビットの拡張セットがＰＨＹヘッダに関連することを示すために、ＰＨＹヘッダの同期ブロックまたはＳＦＤフィールドなど、ＰＨＹヘッダを構成し得る。このようにして、制御フレームは、制御フレームによってどんな送信が採用されているかに関する混乱なしに、同期ビットの低減セットを利用する他のシステムに適合し得る。
【００９３】
[0106]したがって、方法１４００は、ＰＨＹヘッダの同期ブロック中で同期ビットの低減セットを使用して、１つまたは複数の制御フレームのオーバーヘッドを低減することを可能にし得る。方法１４００は一実装形態にすぎないこと、および方法１４００の動作は、他の実装形態が可能であるように、並べ替えられるかまたは場合によっては変更され得ることに留意されたい。
【００９４】
[0107]本明細書で説明した技法は、ＩＥＥＥ８０２．１１（Ｗｉ−Ｆｉ、Ｗｉ−Ｆｉ  Ｐ２Ｐ、Ｗｉ−Ｆｉ  Ｄｉｒｅｃｔなど）システムなど、様々なワイヤレス通信システムのために使用され得る。本明細書で説明した技法は、上記のシステムおよび無線技術、ならびに他のシステムおよび無線技術のために使用され得る。ただし、上記の説明では、例としてＷＬＡＮシステムについて説明しており、上記の説明の大部分においてＷＬＡＮ用語が使用されているが、本技法はＷＬＡＮ適用例以外に適用可能である。
【００９５】
[0108]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【００９６】
[0109]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９７】
[0110]本明細書の開示に関して説明した様々な例示的なブロック、構成要素、およびモジュールは、少なくとも１つの汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【００９８】
[0111]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９９】
[0112]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１００】
[0113]本開示についての以上の説明は、当業者が本開示を作成または使用することができるように与えられる。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に合致する最も広い範囲を与えられるべきである。
【図１】
2017515325.tif 000003
【図２】
2017515325.tif 000004
【図３】
2017515325.tif 000005
【図４Ａ】
2017515325.tif 000006
【図４Ｂ】
2017515325.tif 000007
【図５Ａ】
2017515325.tif 000008
【図５Ｂ】
2017515325.tif 000009
【図５Ｃ】
2017515325.tif 000010
【図６Ａ】
2017515325.tif 000011
【図６Ｂ】
2017515325.tif 000012
【図７Ａ】
2017515325.tif 000013
【図７Ｂ】
2017515325.tif 000014
【図８】
2017515325.tif 000015
【図９】
2017515325.tif 000016
【図１０】
2017515325.tif 000017
【図１１】
2017515325.tif 000018
【図１２】
2017515325.tif 000019
【図１３】
2017515325.tif 000020
【図１４】
2017515325.tif 000021
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
変更制御フレームを送信すること、前記変更制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーは、前記ＭＡＣプロトコルデータユニットのための第２の応答ポリシーに取って代わり、前記第２の応答ポリシーは、前記ＭＡＣプロトコルデータユニットに関連する、と
を備える、ワイヤレス通信のための方法。
【請求項２】
ワイヤレス媒体へのアクセスを要求するために、送信要求（ＲＴＳ）フレームの代わりに前記変更制御フレームを送信することをさらに備える、
請求項１に記載の方法。
【請求項３】
前記第１の応答ポリシーに従う前記変更制御フレームへの応答を受信することと、
前記変更制御フレームへの前記応答に基づいて前記ワイヤレス媒体上でデータフレームを送信することと
をさらに備える、請求項２に記載の方法。
【請求項４】
前記ＭＡＣプロトコルデータユニットは、送信可（ＣＴＳ）メッセージまたは肯定応答（ＡＣＫ）メッセージのうちの１つを備える、
請求項１に記載の方法。
【請求項５】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項１に記載の方法。
【請求項６】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項１に記載の方法。
【請求項７】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項５に記載の方法。
【請求項８】
前記ＭＡＣプロトコルデータユニットに関連する前記第２の応答ポリシーは、前記ＭＡＣプロトコルデータユニットの肯定応答（ＡＣＫ）ポリシーを備える、
請求項１に記載の方法。
【請求項９】
前記ＰＨＹヘッダは、同期ビットの低減セットを備える同期ブロックを備える、
請求項１に記載の方法。
【請求項１０】
前記ＰＨＹヘッダは、フレーム開始デリミタ（ＳＦＤ）フィールドをさらに備え、前記ＳＦＤフィールドは、前記同期ブロックが、同期ビットの前記低減セットとは異なる同期ビットの拡張セットを備えることを示す、
請求項９に記載の方法。
【請求項１１】
前記同期ブロックは、前記同期ブロックが同期ビットの前記拡張セットを備えることを示す、
請求項１０に記載の方法。
【請求項１２】
前記ＰＨＹヘッダは、信号フィールドと、サービスフィールドと、長さフィールドと、巡回冗長検査フィールドとをさらに備え、前記同期ブロックおよび前記ＳＦＤフィールドは、前記信号フィールド、前記サービスフィールド、前記長さフィールド、および前記巡回冗長検査フィールドが１Ｍｂｐｓで送信されることを示す、
請求項１１に記載の方法。
【請求項１３】
物理レイヤ（ＰＨＹ）ヘッダと少なくとも１つの媒体アクセス制御（ＭＡＣ）プロトコルデータユニットとを備える変更制御フレームを送信するための送信機と、
前記ＰＨＹヘッダ中で前記ＭＡＣプロトコルデータユニットのための第１の応答ポリシーを示すための応答ポリシーマネージャ、前記第１の応答ポリシーは、前記ＭＡＣプロトコルデータユニットのための第２の応答ポリシーに取って代わり、前記第２の応答ポリシーは、前記ＭＡＣプロトコルデータユニットに関連する、と
を備える、ワイヤレス通信装置。
【請求項１４】
前記送信機は、さらに、ワイヤレス媒体へのアクセスを要求するために、送信要求（ＲＴＳ）フレームの代わりに前記変更制御フレームを送信するためのものである、
請求項１３に記載のワイヤレス通信装置。
【請求項１５】
前記第１の応答ポリシーに従う前記変更制御フレームへの応答を受信するための受信機をさらに備え、
ここにおいて、前記送信機は、さらに、前記変更制御フレームへの前記応答に基づいて前記ワイヤレス媒体上でデータフレームを送信するためのものである、
請求項１４に記載のワイヤレス通信装置。
【請求項１６】
前記ＭＡＣプロトコルデータユニットは、送信可（ＣＴＳ）メッセージまたは肯定応答（ＡＣＫ）メッセージのうちの１つを備える、
請求項１３に記載のワイヤレス通信装置。
【請求項１７】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項１３に記載のワイヤレス通信装置。
【請求項１８】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項１３に記載のワイヤレス通信装置。
【請求項１９】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項１７に記載のワイヤレス通信装置。
【請求項２０】
前記ＭＡＣプロトコルデータユニットに関連する前記第２の応答ポリシーは、前記ＭＡＣプロトコルデータユニットの肯定応答（ＡＣＫ）ポリシーを備える、
請求項１３に記載のワイヤレス通信装置。
【請求項２１】
変更制御フレームを送信するための手段、前記変更制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すための手段、前記第１の応答ポリシーは、前記ＭＡＣプロトコルデータユニットのための第２の応答ポリシーに取って代わり、前記第２の応答ポリシーは、前記ＭＡＣプロトコルデータユニットに関連する、と
を備える、ワイヤレス通信のための装置。
【請求項２２】
ワイヤレス媒体へのアクセスを要求するために、送信要求（ＲＴＳ）フレームの代わりに前記変更制御フレームを送信するための手段をさらに備える、
請求項２１に記載の装置。
【請求項２３】
前記第１の応答ポリシーに従う前記変更制御フレームへの応答を受信するための手段と、
前記変更制御フレームへの前記応答に基づいて前記ワイヤレス媒体上でデータフレームを送信するための手段と
をさらに備える、請求項２２に記載の装置。
【請求項２４】
前記ＭＡＣプロトコルデータユニットは、送信可（ＣＴＳ）メッセージまたは肯定応答（ＡＣＫ）メッセージのうちの１つを備える、
請求項２１に記載の装置。
【請求項２５】
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
請求項２１に記載の装置。
【請求項２６】
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
請求項２１に記載の装置。
【請求項２７】
少なくとも１つのデバイスに、
変更制御フレームを送信すること、前記変更制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーが、前記ＭＡＣプロトコルデータユニットのための第２の応答ポリシーに取って代わり、前記第２の応答ポリシーは、前記ＭＡＣプロトコルデータユニットに関連する、と
を行わせるようにプロセッサによって実行可能な命令を記憶する、非一時的コンピュータ可読媒体。
【請求項２８】
前記少なくとも１つのデバイスに、
ワイヤレス媒体へのアクセスを要求するために、送信要求（ＲＴＳ）フレームの代わりに前記変更制御フレームを送信することを行わせるように前記プロセッサによって実行可能な命令をさらに備える、
請求項２７に記載の非一時的コンピュータ可読媒体。
【請求項２９】
前記少なくとも１つのデバイスに、
前記第１の応答ポリシーに従う前記変更制御フレームへの応答を受信することと、
前記変更制御フレームへの前記応答に基づいて前記ワイヤレス媒体上でデータフレームを送信することと
を行わせるように前記プロセッサによって実行可能な命令をさらに備える、請求項２８に記載の非一時的コンピュータ可読媒体。
【請求項３０】
前記ＭＡＣプロトコルデータユニットは、送信可（ＣＴＳ）メッセージまたは肯定応答（ＡＣＫ）メッセージのうちの１つを備える、
請求項２７に記載の非一時的コンピュータ可読媒体。
【手続補正２】
【補正対象書類名】明細書
【補正対象項目名】０１００
【補正方法】変更
【補正の内容】
【０１００】
[0113]本開示についての以上の説明は、当業者が本開示を作成または使用することができるように与えられる。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に合致する最も広い範囲を与えられるべきである。
以下に本願発明の当初の特許請求の範囲に記載された発明を付記する。
［Ｃ１］
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信のための方法。
［Ｃ２］
ワイヤレス媒体へのアクセスを要求するために、送信要求（ＲＴＳ）フレームの代わりに前記制御フレームを送信することをさらに備える、
Ｃ１に記載の方法。
［Ｃ３］
前記第１の応答ポリシーに従う前記制御フレームへの応答を受信することと、
前記制御フレームへの前記応答に基づいて前記ワイヤレス媒体上でデータフレームを送信することと
をさらに備える、Ｃ２に記載の方法。
［Ｃ４］
前記ＭＡＣプロトコルデータユニットは、送信可（ＣＴＳ）メッセージまたは肯定応答（ＡＣＫ）メッセージのうちの１つを備える、
Ｃ１に記載の方法。
［Ｃ５］
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
Ｃ１に記載の方法。
［Ｃ６］
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
Ｃ１に記載の方法。
［Ｃ７］
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
Ｃ５に記載の方法。
［Ｃ８］
前記ＭＡＣプロトコルデータユニットに関連する前記第２の応答ポリシーは、前記ＭＡＣプロトコルデータユニットの肯定応答（ＡＣＫ）ポリシーを備える、
Ｃ１に記載の方法。
［Ｃ９］
前記ＰＨＹヘッダは、同期ビットの低減セットを備える同期ブロックを備える、
Ｃ１に記載の方法。
［Ｃ１０］
前記ＰＨＹヘッダは、フレーム開始デリミタ（ＳＦＤ）フィールドをさらに備え、前記ＳＦＤフィールドは、前記同期ブロックが、同期ビットの前記低減セットとは異なる同期ビットの拡張セットを備えることを示す、
Ｃ９に記載の方法。
［Ｃ１１］
前記同期ブロックは、前記同期ブロックが同期ビットの前記拡張セットを備えることを示す、
Ｃ１０に記載の方法。
［Ｃ１２］
前記ＰＨＹヘッダは、信号フィールドと、サービスフィールドと、長さフィールドと、巡回冗長検査フィールドとをさらに備え、前記同期ブロックおよび前記ＳＦＤフィールドは、前記信号フィールド、前記サービスフィールド、前記長さフィールド、および前記巡回冗長検査フィールドが１Ｍｂｐｓで送信されることを示す、
Ｃ１１に記載の方法。
［Ｃ１３］
物理レイヤ（ＰＨＹ）ヘッダと少なくとも１つの媒体アクセス制御（ＭＡＣ）プロトコルデータユニットとを備える制御フレームを送信するための送信機と、
前記ＰＨＹヘッダ中で前記ＭＡＣプロトコルデータユニットのための第１の応答ポリシーを示すための応答ポリシーマネージャ、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信装置。
［Ｃ１４］
前記送信機は、さらに、ワイヤレス媒体へのアクセスを要求するために、送信要求（ＲＴＳ）フレームの代わりに前記制御フレームを送信するためのものである、
Ｃ１３に記載のワイヤレス通信装置。
［Ｃ１５］
前記第１の応答ポリシーに従う前記制御フレームへの応答を受信するための受信機をさらに備え、
ここにおいて、前記送信機は、さらに、前記制御フレームへの前記応答に基づいて前記ワイヤレス媒体上でデータフレームを送信するためのものである、
Ｃ１４に記載のワイヤレス通信装置。
［Ｃ１６］
前記ＭＡＣプロトコルデータユニットは、送信可（ＣＴＳ）メッセージまたは肯定応答（ＡＣＫ）メッセージのうちの１つを備える、
Ｃ１３に記載のワイヤレス通信装置。
［Ｃ１７］
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
Ｃ１３に記載のワイヤレス通信装置。
［Ｃ１８］
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
Ｃ１３に記載のワイヤレス通信装置。
［Ｃ１９］
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
Ｃ１７に記載のワイヤレス通信装置。
［Ｃ２０］
前記ＭＡＣプロトコルデータユニットに関連する前記第２の応答ポリシーは、前記ＭＡＣプロトコルデータユニットの肯定応答（ＡＣＫ）ポリシーを備える、
請求１３に記載のワイヤレス通信装置。
［Ｃ２１］
制御フレームを送信するための手段、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すための手段、前記第１の応答ポリシーは、前記ＭＡＣプロトコルデータユニットに関連する前記ＭＡＣプロトコルデータユニットのための第２の応答ポリシーに取って代わる、と
を備える、ワイヤレス通信のための装置。
［Ｃ２２］
ワイヤレス媒体へのアクセスを要求するために、送信要求（ＲＴＳ）フレームの代わりに前記制御フレームを送信するための手段をさらに備える、
Ｃ２１に記載の装置。
［Ｃ２３］
前記第１の応答ポリシーに従う前記制御フレームへの応答を受信するための手段と、
前記制御フレームへの前記応答に基づいて前記ワイヤレス媒体上でデータフレームを送信するための手段と
をさらに備える、Ｃ２２に記載の装置。
［Ｃ２４］
前記ＭＡＣプロトコルデータユニットは、送信可（ＣＴＳ）メッセージまたは肯定応答（ＡＣＫ）メッセージのうちの１つを備える、
Ｃ２１に記載の装置。
［Ｃ２５］
前記ＰＨＹヘッダは、サービスフィールドを備え、前記ＰＨＹヘッダ中で前記ＭＡＣプロトコルデータユニットのための前記第１の応答ポリシーを示すことは、前記第１の応答ポリシーに基づいて前記ＰＨＹヘッダの前記サービスフィールド中でビットを設定することを備える、
Ｃ２１に記載の装置。
［Ｃ２６］
前記ＰＨＹヘッダ中で示される前記第１の応答ポリシーは、応答要求、または前記少なくとも１つのＭＡＣデータユニットに関連する前記第２の応答ポリシーに従うようにとのインジケーションのうちの１つを備える、
Ｃ２１に記載の装置。
［Ｃ２７］
少なくとも１つのデバイスに、
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記ＭＡＣプロトコルデータユニットのための第１の応答ポリシーを示すこと、前記第１の応答ポリシーが、前記ＭＡＣプロトコルデータユニットに関連する前記ＭＡＣプロトコルデータユニットのための第２の応答ポリシーに取って代わる、と
を行わせるようにプロセッサによって実行可能な命令を記憶する、非一時的コンピュータ可読媒体。
［Ｃ２８］
前記少なくとも１つのデバイスに、
ワイヤレス媒体へのアクセスを要求するために、送信要求（ＲＴＳ）フレームの代わりに前記制御フレームを送信することを行わせるように前記プロセッサによって実行可能な命令をさらに備える、
Ｃ２７に記載の非一時的コンピュータ可読媒体。
［Ｃ２９］
前記少なくとも１つのデバイスに、
前記第１の応答ポリシーに従う前記制御フレームへの応答を受信することと、
前記制御フレームへの前記応答に基づいて前記ワイヤレス媒体上でデータフレームを送信することと
を行わせるように前記プロセッサによって実行可能な命令をさらに備える、Ｃ２７に記載の非一時的コンピュータ可読媒体。
［Ｃ３０］
前記ＭＡＣプロトコルデータユニットは、送信可（ＣＴＳ）メッセージまたは肯定応答（ＡＣＫ）メッセージのうちの１つを備える、
Ｃ２７に記載の非一時的コンピュータ可読媒体。
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記制御フレームのための第１の応答ポリシーを示すこと、前記第１の応答ポリシーは、前記ＭＡＣプロトコルデータユニット中で示される前記制御フレームのための第２の応答ポリシーに取って代わり、前記第１の応答ポリシーは、前記第２の応答ポリシーとは無関係である、と
を備える、ワイヤレス通信のための方法。
【請求項２】
ワイヤレス媒体へのアクセスを要求するために、送信要求（ＲＴＳ）フレームの代わりに前記制御フレームを送信することをさらに備え、前記ＭＡＣプロトコルデータユニットは、送信可（ＣＴＳ）フレームを備える、
請求項１に記載の方法。
【請求項３】
前記第１の応答ポリシーに従う前記制御フレームへのＣＴＳフレーム応答を受信することと、
前記制御フレームへの前記応答に基づいて前記ワイヤレス媒体上でデータフレームを送信することと
をさらに備える、請求項２に記載の方法。
【請求項４】
前記ＭＡＣプロトコルデータユニットは、送信可（ＣＴＳ）メッセージまたは肯定応答（ＡＣＫ）メッセージのうちの１つを備える、
請求項１に記載の方法。
【請求項５】
前記ＰＨＹヘッダは、サービスフィールドを備え、前記ＰＨＹヘッダ中で前記制御フレームのための前記第１の応答ポリシーを示すことは、前記第１の応答ポリシーに基づいて前記ＰＨＹヘッダの前記サービスフィールド中でビットを設定することを備える、
請求項１に記載の方法。
【請求項６】
前記ＰＨＹヘッダ中で示される前記第１の応答ポリシーは、応答要求、または前記少なくとも１つのＭＡＣプロトコルデータユニット中で示される前記第２の応答ポリシーに従うようにとのインジケーションのうちの１つを備える、
請求項１に記載の方法。
【請求項７】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項５に記載の方法。
【請求項８】
前記ＭＡＣプロトコルデータユニット中で示される前記第２の応答ポリシーは、前記ＭＡＣプロトコルデータユニットの肯定応答（ＡＣＫ）ポリシーを備える、
請求項１に記載の方法。
【請求項９】
前記ＰＨＹヘッダは、同期ビットの低減セットを備える同期ブロックを備える、
請求項１に記載の方法。
【請求項１０】
前記ＰＨＹヘッダは、フレーム開始デリミタ（ＳＦＤ）フィールドをさらに備え、前記ＳＦＤフィールドは、前記同期ブロックが、同期ビットの前記低減セットとは異なる同期ビットの拡張セットを備えることを示す、
請求項９に記載の方法。
【請求項１１】
前記同期ブロックは、前記同期ブロックが同期ビットの前記拡張セットを備えることを示す、
請求項１０に記載の方法。
【請求項１２】
前記ＰＨＹヘッダは、信号フィールドと、サービスフィールドと、長さフィールドと、巡回冗長検査フィールドとをさらに備え、前記同期ブロックおよび前記ＳＦＤフィールドは、前記信号フィールド、前記サービスフィールド、前記長さフィールド、および前記巡回冗長検査フィールドが１Ｍｂｐｓで送信されることを示す、
請求項１１に記載の方法。
【請求項１３】
物理レイヤ（ＰＨＹ）ヘッダと少なくとも１つの媒体アクセス制御（ＭＡＣ）プロトコルデータユニットとを備える制御フレームを送信するための送信機と、
前記ＰＨＹヘッダ中で前記制御フレームのための第１の応答ポリシーを示すための応答ポリシーマネージャ、前記第１の応答ポリシーは、前記ＭＡＣプロトコルデータユニット中で示される前記制御フレームのための第２の応答ポリシーに取って代わり、前記第１の応答ポリシーは、前記第２の応答ポリシーとは無関係である、と
を備える、ワイヤレス通信装置。
【請求項１４】
前記送信機は、さらに、ワイヤレス媒体へのアクセスを要求するために、送信要求（ＲＴＳ）フレームの代わりに前記制御フレームを送信するためのものであり、前記ＭＡＣプロトコルデータユニットは、送信可（ＣＴＳ）フレームを備える、
請求項１３に記載のワイヤレス通信装置。
【請求項１５】
前記第１の応答ポリシーに従う前記制御フレームへのＣＴＳフレーム応答を受信するための受信機をさらに備え、
ここにおいて、前記送信機は、さらに、前記制御フレームへの前記応答に基づいて前記ワイヤレス媒体上でデータフレームを送信するためのものである、
請求項１４に記載のワイヤレス通信装置。
【請求項１６】
前記ＭＡＣプロトコルデータユニットは、送信可（ＣＴＳ）メッセージまたは肯定応答（ＡＣＫ）メッセージのうちの１つを備える、
請求項１３に記載のワイヤレス通信装置。
【請求項１７】
前記ＰＨＹヘッダは、サービスフィールドを備え、前記ＰＨＹヘッダ中で前記制御フレームのための前記第１の応答ポリシーを示すことは、前記第１の応答ポリシーに基づいて前記ＰＨＹヘッダの前記サービスフィールド中でビットを設定することを備える、
請求項１３に記載のワイヤレス通信装置。
【請求項１８】
前記ＰＨＹヘッダ中で示される前記第１の応答ポリシーは、応答要求、または前記少なくとも１つのＭＡＣプロトコルデータユニット中で示される前記第２の応答ポリシーに従うようにとのインジケーションのうちの１つを備える、
請求項１３に記載のワイヤレス通信装置。
【請求項１９】
前記第１の応答ポリシーに基づいて前記ＰＨＹヘッダの前記サービスフィールド中で設定された前記ビットは、前記ＰＨＹヘッダの前記サービスフィールド中の少なくとも１つの高レート直接シーケンススペクトラム拡散（ＨＲ）（ＤＳＳＳ）ビットとは別個である、
請求項１７に記載のワイヤレス通信装置。
【請求項２０】
前記ＭＡＣプロトコルデータユニット中で示される前記第２の応答ポリシーは、前記ＭＡＣプロトコルデータユニットの肯定応答（ＡＣＫ）ポリシーを備える、
請求項１３に記載のワイヤレス通信装置。
【請求項２１】
制御フレームを送信するための手段、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記制御フレームのための第１の応答ポリシーを示すための手段、前記第１の応答ポリシーは、前記ＭＡＣプロトコルデータユニット中で示される前記制御フレームのための第２の応答ポリシーに取って代わり、前記ＭＡＣプロトコルデータユニットは、ＣＴＳフレームを備える、と
を備える、ワイヤレス通信のための装置。
【請求項２２】
ワイヤレス媒体へのアクセスを要求するために、送信要求（ＲＴＳ）フレームの代わりに前記制御フレームを送信するための手段をさらに備え、前記ＭＡＣプロトコルデータユニットは、送信可（ＣＴＳ）フレームを備える、
請求項２１に記載の装置。
【請求項２３】
前記第１の応答ポリシーに従う前記制御フレームへのＣＴＳフレーム応答を受信するための手段と、
前記制御フレームへの前記応答に基づいて前記ワイヤレス媒体上でデータフレームを送信するための手段と
をさらに備える、請求項２２に記載の装置。
【請求項２４】
前記ＭＡＣプロトコルデータユニットは、送信可（ＣＴＳ）メッセージまたは肯定応答（ＡＣＫ）メッセージのうちの１つを備える、
請求項２１に記載の装置。
【請求項２５】
前記ＰＨＹヘッダは、サービスフィールドを備え、前記ＰＨＹヘッダ中で前記制御フレームのための前記第１の応答ポリシーを示すことは、前記第１の応答ポリシーに基づいて前記ＰＨＹヘッダの前記サービスフィールド中でビットを設定することを備える、
請求項２１に記載の装置。
【請求項２６】
前記ＰＨＹヘッダ中で示される前記第１の応答ポリシーは、応答要求、または前記少なくとも１つのＭＡＣプロトコルデータユニット中で示される前記第２の応答ポリシーに従うようにとのインジケーションのうちの１つを備える、
請求項２１に記載の装置。
【請求項２７】
少なくとも１つのデバイスに、
制御フレームを送信すること、前記制御フレームは、物理レイヤ（ＰＨＹ）ヘッダと少なくとも１つの媒体アクセス制御（ＭＡＣ）プロトコルデータユニットとを備える、と、
前記ＰＨＹヘッダ中で前記制御フレームのための第１の応答ポリシーを示すこと、前記第１の応答ポリシーが、前記ＭＡＣプロトコルデータユニット中で示される前記制御フレームのための第２の応答ポリシーに取って代わり、前記ＭＡＣプロトコルデータユニットは、ＣＴＳフレームを備える、と
を行わせるようにプロセッサによって実行可能な命令を記憶する、非一時的コンピュータ可読媒体。
【請求項２８】
前記少なくとも１つのデバイスに、
ワイヤレス媒体へのアクセスを要求するために、送信要求（ＲＴＳ）フレームの代わりに前記制御フレームを送信することを行わせるように前記プロセッサによって実行可能な命令をさらに備え、前記ＭＡＣプロトコルデータユニットは、送信可（ＣＴＳ）フレームを備える、
請求項２７に記載の非一時的コンピュータ可読媒体。
【請求項２９】
前記少なくとも１つのデバイスに、
前記第１の応答ポリシーに従う前記制御フレームへのＣＴＳフレーム応答を受信することと、
前記制御フレームへの前記応答に基づいて前記ワイヤレス媒体上でデータフレームを送信することと
を行わせるように前記プロセッサによって実行可能な命令をさらに備える、請求項２８に記載の非一時的コンピュータ可読媒体。
【請求項３０】
前記ＭＡＣプロトコルデータユニットは、送信可（ＣＴＳ）メッセージまたは肯定応答（ＡＣＫ）メッセージのうちの１つを備える、
請求項２７に記載の非一時的コンピュータ可読媒体。
【国際調査報告】
2017515325.tif 000022
2017515325.tif 000023